(57)【要約】  本明細書に記載の手技は、１つ又は複数の治療ビームを用いて１つ又は複数の治療的便益を誘発することを伴ってよい。いくつかの実施形態では、標的眼球組織の温度上昇を制限することによって、熱の効果を眼球組織の所望の部分のみに限定するための、熱的緩和時間遅延を伴って、一連の短幅光パルスを眼球組織の複数の標的位置に送達してよい。上記熱的緩和時間遅延は、各標的位置間の治療ビームの走査の期間とおおよそ等しくてよい。このような手技を用いて、糖尿病網膜症、黄斑浮腫及び／又は眼の他の状態を治療し得る。治療ビームは、患者の眼の眼球組織上に治療パターンの視覚的出現を生成するために、十分に短い期間内で各標的位置に送達してよい。
2016517736.tif 000002
【特許請求の範囲】
【請求項１】
患者の眼を治療するための方法であって：
治療ビームのための複数の標的位置を画定するステップであって、前記複数の標的位置は、第１の位置、第２の位置、複数の中間位置を含み、各前記標的位置は、前記患者の眼の眼球組織を治療するための治療部位に対応する、ステップ；
前記複数の標的位置それぞれにおいて前記眼球組織に前記治療ビームからの第１のパルスを送達するステップ；
各前記第１のパルスの送達中に前記ビームが固定されるように、複数の治療位置間で増分的に前記治療ビームを走査するステップ；
前記治療ビームが前記第１の位置と前記第２の位置との間で追加の回数だけそれぞれ増分的に走査される際に、前記複数の治療位置それぞれにおいて前記眼球組織に前記治療ビームからの追加の個数のパルスを送達して、前記眼球組織の追加の治療を提供するステップ
を含み、
各前記パルスの幅は、前記眼球組織の従来の光凝固の誘発を回避できるよう十分に短く、
各前記標的位置に配向される前記パルスの総数は、前記位置において治療的治癒反応の光活性化を誘発するために十分なものである、方法。
【請求項２】
前記眼球組織上の前記複数の標的位置を画定するために、前記眼球組織上に照準ビームを配向するステップを更に含む、請求項１に記載の方法。
【請求項３】
各前記標的位置に送達される前記パルス間の時間間隔は、前記第１の位置から前記第２の位置までの前記治療ビームの走査の期間と略等しい、請求項１に記載の方法。
【請求項４】
前記時間間隔は、前記標的位置の総数と、各前記パルスの平均幅と、隣接する前記標的位置間の前記治療ビームの移動の平均期間との積である、請求項３に記載の方法。
【請求項５】
前記時間間隔は約１９００マイクロ秒超である、請求項３に記載の方法。
【請求項６】
各前記標的位置における前記治療ビームに関するデューティサイクルは、約９％以下である、請求項１に記載の方法。
【請求項７】
前記治療ビームが複数の前記治療位置間で増分的に走査される際の前記パルスの各送達は、治療サイクルを含み、
前記方法は、前記眼の前記眼球組織を治療するために約１０〜約１００００の前記治療サイクルを提供するステップを含む、請求項１に記載の方法。
【請求項８】
各前記パルスは、前記眼球組織上に前記標的位置の視覚的パターンを提供できるよう、各前記標的位置に十分に短い幅で送達される、請求項７に記載の方法。
【請求項９】
前記眼球組織は網膜組織を含む、請求項１に記載の方法。
【請求項１０】
各前記パルスの幅は約５０〜１５０マイクロ秒である、請求項１に記載の方法。
【請求項１１】
患者の眼に治療処置を提供するためのシステムであって、前記システムは：
治療ビーム経路に沿って治療ビームを伝導するよう構成された治療ビーム源；
前記治療ビーム経路に沿って配置され、前記患者の眼の眼球組織に沿って前記治療ビームを走査するよう構成された、走査デバイス；及び
前記走査デバイスに連結されたプロセッサ
を備え、
前記プロセッサは：
Ａ）前記治療ビームのために、前記眼球組織に対する複数の標的位置を画定するステップであって、前記複数の標的位置は第１の位置、第２の位置、複数の中間位置を含む、ステップ；
Ｂ）前記治療ビームが関連する前記位置に固定されている際に、前記治療ビームからのパルスを、前記複数の標的位置それぞれにおいて前記眼球組織上に送達するステップ；
Ｃ）前記複数の標的位置の間で前記治療ビームを増分的に走査するステップ；並びに
Ｄ）前記複数の標的位置それぞれにおいて前記治療ビームからの複数の追加のパルスを送達するために、前記ステップＢ）及びＣ）を反復するステップ
を実行するよう構成され、
各前記パルスの幅は、前記眼球組織の従来の光凝固の誘発を回避できるよう十分に短く、
各前記標的位置に配向される前記パルスの総数は、前記位置において治療的治癒反応の光活性化を誘発するために十分なものである、システム。
【請求項１２】
照準ビーム経路に沿って照準ビームを伝導するよう構成された照準ビーム源を更に備え、
前記走査デバイスは更に、前記照準ビームを前記眼球組織に沿って走査することによって、前記眼球組織上の前記複数の標的位置を画定するよう構成される、請求項１１に記載のシステム。
【請求項１３】
各前記標的位置に送達される前記パルス間の時間間隔は、前記第１の位置と前記第２の位置との間の前記複数の標的位置の間の前記治療ビームの増分的な走査の期間と略等しい、請求項１１に記載のシステム。
【請求項１４】
前記眼球組織は網膜組織を含む、請求項１１に記載のシステム。
【請求項１５】
前記第１の位置と前記第２の位置との間の前記複数の標的位置の間の前記治療ビームの増分的な走査は、治療サイクルを含み、
前記プロセッサは更に、約１０〜約１００００の前記治療サイクルを提供するよう構成される、請求項１１に記載のシステム。
【請求項１６】
前記走査デバイスは、アダプタデバイス内に配置され、
前記アダプタデバイスは、眼科的測定機器と着脱可能に連結でき、また前記光ビーム源と光学的に連結できる、請求項１１に記載のシステム。
【請求項１７】
患者の眼に治療処置を提供するためのシステムであって、前記システムは：
治療ビーム経路に沿って視認可能な治療ビームを伝導するよう構成された治療ビーム源；
前記治療ビーム経路に沿って配置され、前記患者の眼の眼球組織に沿って前記治療ビームを走査するよう構成された、走査デバイス；及び
前記走査デバイスに連結されたプロセッサ
を備え、
前記プロセッサは：
Ａ）前記治療ビームのために、前記眼球組織に対する複数の標的位置を画定するステップであって、前記複数の標的位置は第１の位置、第２の位置、複数の中間位置を含む、ステップ；
Ｂ）前記治療ビームからのパルスを、前記複数の標的位置それぞれにおいて前記眼球組織上に送達するステップ；
Ｃ）前記複数の標的位置が前記ビームによって同時に照明されて現れるように、前記複数の標的位置の間で前記ビームを増分的に走査するステップ；並びに
Ｄ）前記複数の標的位置が前記ビームによって同時に照明されて現れるように、前記複数の標的位置それぞれにおいて前記治療ビームからの複数の追加のパルスを送達するために、前記ステップＢ）及びＣ）を反復するステップ
を実行するよう構成され、
各前記パルスの幅は、前記眼球組織の従来の光凝固の誘発を回避できるよう十分に短く、
各前記標的位置に配向される前記パルスの総数は、前記位置において治療的治癒の光活性化を誘発するために十分なものである、システム。
【請求項１８】
前記眼球組織は網膜組織を含む、請求項１７に記載のシステム。
【発明の詳細な説明】
【技術分野】
【０００１】
関連出願の相互参照
本出願は、２０１３年４月１８日出願の米国特許出願第６１／８１３５８５号「Ｍｉｃｒｏｐｕｌｓｅ  Ｇｒｉｄ  Ｐａｔｔｅｒｎ  Ｌａｓｅｒ  Ｔｒｅａｔｍｅｎｔ  ａｎｄ  Ｍｅｔｈｏｄｓ」に対する優先権を主張する。本出願はまた、２０１１年１０月１９日出願の米国仮特許出願第６１／５４９０３６号「Ｇｒｉｄ  Ｐａｔｔｅｒｎ  Ｔｈｅｒａｐｅｕｔｉｃ  Ｔｒｅａｔｍｅｎｔ」に対する優先権を主張する、２０１２年１０月１９日出願の米国特許出願第１３／６５６３３２号「Ｍｉｃｒｏｐｕｌｓｅ  Ｇｒｉｄ  Ｐａｔｔｅｒｎ  Ｌａｓｅｒ  Ｔｒｅａｔｍｅｎｔ  ａｎｄ  Ｍｅｔｈｏｄｓ」の一部継続出願でもあり、これらの出願の開示全体は、参照により、あらゆる目的のために、本出願に完全に記載されているかのように本出願に援用される。
【背景技術】
【０００２】
治療用レーザはしばしば、眼の様々な状態の治療に使用される。例えば、このようなレーザを用いて治療できる具体的な状態のタイプは、糖尿病網膜症である。糖尿病網膜症は、糖尿病の合併症によるものである網膜への損傷である。糖尿病網膜症は、治療しないままにすると最終的に失明につながり得る。糖尿病網膜症は典型的には、微小血管性の網膜の変化によるものである。例えば糖尿病によって誘発される影響は眼の組織を損傷する場合があり、これは血液網膜関門の形成を変化させて、網膜血管の透過性を上昇させる場合がある。このような状態の治療において、１つ又は複数の光ビームを眼の中及び／又は網膜組織上に配向して、組織の光凝固を引き起こし、これによって眼血管を微細に焼灼し、及び／又は血管成長を防止して、様々な治療上の便益を誘発してよい。レーザ光凝固は、網膜症の初期段階のために一般に使用される。
【０００３】
しかしながら、レーザ光凝固治療の提供において、眼窩、黄斑といった眼の感受性組織の損傷を回避することが重要である。特定の例では、これらの領域のうちの１つ又は複数に対する損傷を確実に回避しながら、上記領域の付近の組織を治療することが望まれる場合がある。従来のレーザ光凝固技術では、上述のような感受性組織に対する損傷を確実に回避するか又は確実に大幅に低減しながら、上記組織の付近の領域を治療するための、最適な解決策は提供されない。従って、糖尿病網膜症といった眼の様々な状態を治療するための、改良されたレーザ光凝固法に対して、当該技術分野において需要がある。
【発明の概要】
【課題を解決するための手段】
【０００４】
本明細書に記載の本発明の実施形態は、患者の眼球組織及び／又は他の領域を治療するためのシステム及び方法を提供する。手技は、１つ又は複数の光ビーム（例えばレーザ）を用いて光凝固を発生させ、これによって眼血管を微細に焼灼し、及び／又は血管成長を防止して、様々な治療上の便益を誘発することを伴ってよい。このような手技を用いて、糖尿病網膜症、黄斑浮腫及び／又は眼の他の状態を治療し得る。一態様によると、患者の眼を治療するための方法が提供される。この方法は、治療ビームのための複数の標的位置を画定するステップを含んでよい。複数の標的位置は、第１の位置、第２の位置、複数の中間位置を含んでよい。各標的位置は、患者の眼の眼球組織を治療するための治療部位に対応してよい。本方法はまた、複数の標的位置それぞれにおいて眼球組織に治療ビームからの第１のパルスを送達するステップ、及び各第１のパルスの送達中にビームが固定されるように、複数の治療位置間で増分的に治療ビームを走査するステップを含んでよい。本方法は更に、治療ビームが第１の位置と第２の位置との間で追加の回数だけそれぞれ増分的に走査される際に、複数の治療位置それぞれにおいて眼球組織に治療ビームからの追加の個数のパルスを送達して、眼球組織の追加の治療を提供するステップを含んでよい。各パルスの幅は、眼球組織の従来の光凝固の誘発を回避しながら、各標的位置に配向されるパルスの総数を、上記位置において治療的治癒反応の光活性化を誘発するのに十分なものとすることができる程度に、十分に短いものであってよい。
【０００５】
本方法は更に、眼球組織上の複数の標的位置を画定するために眼球組織上に照準ビームを配向するステップを含んでよい。各標的位置に送達されるパルス間の時間間隔は、第１の位置から第２の位置までの治療ビームの走査の期間と略等しくてよい。このような実施形態では、上記時間間隔は、標的位置の総数と、各パルスの平均幅と、隣接する標的位置間の治療ビームの移動の平均期間との積であってよい。上記時間間隔は約１９００マイクロ秒超であってよい。
【０００６】
いくつかの実施形態では、各標的位置における治療ビームに関するデューティサイクルは、約９％以下であってよいが、使用されるデューティサイクルは、実施される具体的な治療に応じて変化してよく、約５％以下のデューティサイクルがより一般的である。いくつかの実施形態では、治療ビームが複数の治療位置間で増分的に走査される際のパルスの各送達は、治療サイクルを含んでよく、また本方法は更に、眼の眼球組織を治療するために約１０〜約１００００の治療サイクルを提供するステップを含んでよい。あるサイクル中の各パルスは、眼球組織上に標的位置の視覚的パターンを提供できるよう、各標的位置に十分に短い幅で送達されてよい。各パルスの幅は約５０〜１５０マイクロ秒であってよい。
【０００７】
別の態様によると、患者の眼に治療処置を提供するためのシステムは：治療ビーム経路に沿って治療ビームを伝導するよう構成された治療ビーム源；治療ビーム経路に沿って配置され、患者の眼の眼球組織に沿って治療ビームを走査するよう構成された、走査デバイス；及び走査デバイスに連結されたプロセッサを含んでよい。プロセッサは（例えばメモリデバイスに記憶された命令によって）：Ａ）治療ビームのために、眼球組織に対する複数の標的位置を画定するステップ；Ｂ）治療ビームが関連位置に固定されている際に、治療ビームからのパルスを、複数の標的位置それぞれにおいて眼球組織上に送達するステップ；Ｃ）複数の標的位置の間で治療ビームを増分的に走査するステップ；並びにＤ）複数の標的位置それぞれにおいて治療ビームからの複数の追加のパルスを送達するために、ステップＢ）及びＣ）を反復するステップを実行するよう構成又は命令されてよい。複数の標的位置は、第１の位置、第２の位置、複数の中間位置を含んでよく、治療ビームは第１の位置と第２の位置との間で走査されてよい。各パルスの幅は、眼球組織の従来の光凝固の誘発を回避しながら、各標的位置に配向されるパルスの総数を、上記位置において治療的治癒の光活性化を誘発するのに十分なものとすることができる程度に、十分に短いものであってよい。
【０００８】
本明細書に記載するように、いくつかの実施形態では、本システムは、照準ビーム経路に沿って照準ビームを伝導するよう構成された照準ビーム源を含んでよい。このような実施形態では、走査デバイスは、照準ビームを眼球組織に沿って走査することによって、眼球組織上の複数の標的位置を画定してよい。各標的位置に送達されるパルス間の時間間隔は、第１の位置と第２の位置との間の複数の標的位置の間の治療ビームの増分的な走査の期間と略等しくてよい。プロセッサは更に、約１０〜約１００００サイクルのマイクロパルス治療を提供するよう構成してよい。走査デバイス及び／又は治療若しくは照準ビーム源は、アダプタデバイス内に配置してよく、このアダプタデバイスは、眼科的測定機器と着脱可能に連結でき、また光ビーム源と光学的に連結できる。
【０００９】
別の実施形態では、患者の眼に治療処置を提供するためのシステムは：治療ビーム経路に沿って治療ビームを伝導するよう構成された治療ビーム源；治療ビーム経路に沿って配置され、患者の眼の眼球組織に沿って治療ビームを走査するよう構成された、走査デバイス；及び走査デバイスに連結されたプロセッサを含んでよい。プロセッサは（例えばメモリデバイスに記憶された命令によって）：Ａ）治療ビームのために、眼球組織に対する複数の標的位置を画定するステップであって、上記標的位置は第１の位置、第２の位置及び複数の中間位置を含む、ステップ；Ｂ）治療ビームからのパルスを、複数の標的位置それぞれにおいて眼球組織上に送達するステップ；Ｃ）複数の標的位置をビームで同時に照明するために、第１の位置と第２の位置との間の複数の標的位置の間でビームを増分的に走査するステップ；並びにＤ）複数の標的位置それぞれにおいて治療ビームからの複数の追加のパルスを送達して、複数の標的位置をビームで同時に照明するために、ステップＢ）及びＣ）を反復するステップを実行するよう構成又は命令されてよい。本明細書に記載されているように、各パルスの幅は、眼球組織の従来の光凝固の誘発を回避しながら、各標的位置に配向されるパルスの総数を、上記位置において治療的治癒の光活性化を誘発するのに十分なものとすることができる程度に、十分に短いものであってよい。
【００１０】
添付の図面と併せて本発明を説明する。
【図面の簡単な説明】
【００１１】
【図１Ａ】図１Ａは、眼科撮像機器が境界画定型治療処置を提供できるようにするために上記眼科撮像機器に連結してよいアダプタの斜視図である。
【図１Ｂ】図１Ｂは、眼科撮像機器が境界画定型治療処置を提供できるようにするために上記眼科撮像機器に連結してよいアダプタの斜視図である。
【図１Ｃ】図１Ｃは、眼科撮像機器が境界画定型治療処置を提供できるようにするために上記眼科撮像機器に連結してよいアダプタの斜視図である。
【図１Ｄ】図１Ｄは、眼科撮像機器が境界画定型治療処置を提供できるようにするために上記眼科撮像機器に連結してよいアダプタの斜視図である。
【図１Ｅ】図１Ｅは、眼科撮像機器が境界画定型治療処置を提供できるようにするために上記眼科撮像機器に連結してよいアダプタの斜視図である。
【図１Ｆ】図１Ｆは、眼科撮像機器が境界画定型治療処置を提供できるようにするために上記眼科撮像機器に連結してよいアダプタの斜視図である。
【図１Ｇ】図１Ｇは、眼科撮像機器が境界画定型治療処置を提供できるようにするために上記眼科撮像機器に連結してよいアダプタの斜視図である。
【図２Ａ】図２Ａは、眼科撮像機器に連結された図１Ａ〜１Ｇのアダプタの図である。
【図２Ｂ】図２Ｂは、眼科撮像機器に連結された図１Ａ〜１Ｇのアダプタの図である。
【図２Ｃ】図２Ｃは、眼科撮像機器に連結された図１Ａ〜１Ｇのアダプタの図である。
【図２Ｄ】図２Ｄは、眼科撮像機器に連結された図１Ａ〜１Ｇのアダプタの図である。
【図２Ｅ】図２Ｅは、眼科撮像機器に連結された図１Ａ〜１Ｇのアダプタの図である。
【図３】図３は、本発明のある実施形態による、治療処置を提供するためのシステムのブロック図である。
【図４】図４Ａ、図４Ｂ、図４Ｃは、図３のシステムと共に使用してよいディスプレイインタフェースのブロック図である。
【図５Ａ】図５Ａは、境界画定型治療処置のために使用してよい治療境界を示す。
【図５Ｂ】図５Ｂは、境界画定型治療処置のために使用してよい治療パターンを示す。
【図５Ｃ】図５Ｃは、境界画定型治療処置のために使用してよい治療パターンを示す。
【図５Ｄ】図５Ｄは、境界画定型治療処置のために使用してよい治療パターンを示す。
【図５Ｅ】図５Ｅは、境界画定型治療処置のために使用してよい治療パターンを示す。
【図５Ｆ】図５Ｆは、境界画定型治療処置のために使用してよい治療パターンを示す。
【図６Ａ】図６Ａは、図５Ａの治療境界内に送達されるレーザ光を示す。
【図６Ｂ】図６Ｂは、図５Ｂの治療パターンに対して送達されるレーザ光を示す。
【図６Ｃ】図６Ｃは、図５Ｃの治療パターンに対して送達されるレーザ光を示す。
【図６Ｄ】図６Ｄは、図５Ｄの治療パターンに対して送達されるレーザ光を示す。
【図６Ｅ】図６Ｅは、図５Ｅの治療パターンに対して送達されるレーザ光を示す。
【図６Ｆ】図６Ｆは、図５Ｆの治療パターンに対して送達されるレーザ光を示す。
【図７Ａ】図７Ａは、ある治療パターン内にレーザ光を順次送達するプロセスを示す。
【図７Ｂ】図７Ｂは、ある治療パターン内にレーザ光を順次送達するプロセスを示す。
【図７Ｃ】図７Ｃは、ある治療パターン内にレーザ光を順次送達するプロセスを示す。
【図７Ｄ】図７Ｄは、ある治療パターン内にレーザ光を順次送達するプロセスを示す。
【図７Ｅ】図７Ｅは、ある治療パターン内にレーザ光を順次送達するプロセスを示す。
【図７Ｆ】図７Ｆは、ある治療パターン内にレーザ光を順次送達するプロセスを示す。
【図８】図８は、患者の網膜の特徴部分又は組織に隣接して位置決めされた治療パターンを示す。
【図９Ａ】図９Ａは、治療手技中に治療レーザの連続的な移動を補償するために使用できる、治療レーザの横長楕円形プロファイルを示す。
【図９Ｂ】図９Ｂは、治療手技中に治療レーザの連続的な移動を補償するために使用できる、治療レーザの縦長楕円形プロファイルを示す。
【図９Ｃ】図９Ｃは、治療手技中に治療レーザの連続的な移動を補償するために使用できる、治療レーザの縦長楕円形プロファイルを示す。
【図１０Ａ】図１０Ａは、治療処置手技において使用され得る網膜画像を示す。
【図１０Ｂ】図１０Ｂは、治療処置手技において使用され得るプロファイルを示す。
【図１０Ｃ】図１０Ｃは、治療処置手技において使用され得るマップを示す。
【図１１Ａ】図１１Ａは、３行×３列に配列された９個の治療位置のアレイを備える治療パターンに対して実施される、マイクロパルス治療の図である。
【図１１Ｂ】図１１Ｂは、３行×３列に配列された９個の治療位置のアレイを備える治療パターンに対して実施される、マイクロパルス治療の図である。
【図１２Ａ】図１２Ａは、マイクロパルス治療を提供する際に使用できる、他の治療パターン又は治療スポット配置を示す。
【図１２Ｂ】図１２Ｂは、マイクロパルス治療を提供する際に使用できる、他の治療パターン又は治療スポット配置を示す。
【図１２Ｃ】図１２Ｃは、マイクロパルス治療を提供する際に使用できる、他の治療パターン又は治療スポット配置を示す。
【図１２Ｄ】図１２Ｄは、マイクロパルス治療を提供する際に使用できる、他の治療パターン又は治療スポット配置を示す。
【図１２Ｅ】図１２Ｅは、マイクロパルス治療を提供する際に使用できる、他の治療パターン又は治療スポット配置を示す。
【図１２Ｆ】図１２Ｆは、マイクロパルス治療を提供する際に使用できる、他の治療パターン又は治療スポット配置を示す。
【図１２Ｇ】図１２Ｇは、マイクロパルス治療を提供する際に使用できる、他の治療パターン又は治療スポット配置を示す。
【図１２Ｈ】図１２Ｈは、マイクロパルス治療を提供する際に使用できる、他の治療パターン又は治療スポット配置を示す。
【発明を実施するための形態】
【００１２】
添付の図面において、同様の構成部品及び／又は特徴部分は同様の参照符号標識を有してよい。更に、同一のタイプの様々な構成部品は、複数の同様の構成部品及び／又は特徴部分を区別する文字を参照符号の後に付けることによって区別され得る。第１の参照符号標識のみを本明細書において使用する場合、その説明は、添字に関係なく、同一の第１の参照符号標識を有する複数の同様の構成部品及び／又は特徴部分のいずれの１つに対して適用可能である。
【００１３】
以下の確実な説明は単に例示的な実施形態を提供するものであり、本開示の範囲、適用可能性又は構成を制限することを意図したものではない。寧ろ例示的実施形態の確実な説明は、当業者に、１つ又は複数の例示的実施形態を実装することを可能にする説明を提供する。添付の請求項に記載されているような本発明の精神及び範囲から逸脱することなく、機能及び要素の配置に様々な変更を加えてよいことを理解されたい。
【００１４】
本発明の実施形態は、患者の眼の網膜及び／又は他の領域を治療するためのシステム及び方法を提供する。手技は、１つ又は複数の光ビーム（例えばレーザ）を用いて光凝固を発生させ、これによって眼血管を微細に焼灼し、及び／又は血管成長を防止して、様々な治療上の便益を誘発することを伴ってよい。このような手技を用いて、糖尿病網膜症、黄斑浮腫及び／又は眼の他の状態を治療し得る。いくつかの実施形態では、光凝固は、網膜に現れる一連の複数の視認可能なスポットを発生させる場合がある。他の実施形態では、一連の短幅光パルス（例えば５〜１５マイクロ秒）は、標的網膜組織の温度上昇を制限することによって網膜色素上皮層のみに熱的影響を制限するための各パルス間の熱緩和時間遅延を伴って、網膜組織に送達されてよい。このような短幅パルス（本明細書ではマイクロパルスとも呼ぶ）は、網膜上に現れる視認可能なスポットを発生させず、結果として発生する全体としての組織の損傷が少なくなり得る。
【００１５】
網膜組織を治療する及び／又は凝固させるために送達される治療光（即ちレーザ光）は、循環する幾何学的形状のパターンを含み得る所定の治療境界内に、治療レベルで送達され得る。治療境界は、その中に治療レベルの治療光が配向され、その外側には治療光が実質的に配向されないか、又は反射光、入射光等の場合等のように副治療レベルで提供される、領域を画定してよい。従って治療境界は、その中では治療処置が提供され、その外側では治療処置が提供されないか又は最小限しか提供されない、領域を画定してよい。治療境界及び／又はパターンは、治療するべき領域を表示するために、患者の眼の網膜表面上に投射及び／又は画定してよい。治療境界は、治療処置を受けないか又は最小限しか受けない網膜の領域を画定又は区別できるため、治療境界の周縁部は、網膜の感受性組織及び／又は治療処置が望まれていないいずれの部分に隣接して位置決めされてよく、これにより、感受性組織又は領域が治療処置を受けない又は最小限しか受けないことを保証する。屈折、光の散乱等によって治療境界の外側の組織にある程度の治療光が入射し得るものの、このような光は最小限であり、治療境界の外側の組織に対して最小限の影響しか有しないことを理解されたい。従って本発明の実施形態は、治療処置を受けることになる網膜の領域と、治療処置を受けない領域とを決定するための、正確な制御を提供する。
【００１６】
治療境界の周縁部は、治療境界のそれ以外の部分に沿っており、網膜のマップ若しくは画像及び／又は網膜自体を画定してユーザインタフェース上に表示してよく、これによって、治療処置を提供する外科医又はユーザが、治療領域の外部境界に気付くことができる。治療領域の外部境界が表示されるため、外科医は、感受性組織又は他の領域を治療しないか又は最小限しか治療しないことを保証しながら、感受性組織及び／又は他のいずれの領域に近接して治療領域を当接させる又は配置することができる。
【００１７】
いくつかの実施形態では、治療パターンは、取り囲まれた境界又はパターンの代わりに、又はこれらに加えて、複数の照準スポットのアレイを含む。照準スポットのアレイは、本明細書に記載されているように患者の網膜上に画定してよく、治療ビームは、照準スポットのうちの１つ又は複数に対して同軸に点灯又は送達してよい。
【００１８】
治療境界及び／又は治療パターンは、１つ又は複数の照準ビームを用いて、網膜表面上に画定及び／又は投射してよい。照準ビームは、レーザビーム又は他のいずれのタイプの光ビーム（例えば高出力発光ダイオード（ＬＥＤ）によって生成されたビーム）であってよい。本明細書では照準ビームを一般に照準レーザと呼んでよいが、レーザ以外の光ビームを使用してよいことを理解されたい。照準ビームは、網膜組織を損傷しない低強度レーザ光ビームであってよい。いくつかの実施形態では、照準ビームの波長は約６００ｎｍ（ナノメートル）〜約７００ｎｍであり、より一般には約６５０ｎｍである。照準ビームはレーザダイオードによって提供してよく、網膜組織上に、網膜組織を治療するために使用される治療レーザの入射スポットよりも実質的に小さい入射スポット又は断面を有してよい。あるいはいくつかの実施形態では、照準レーザの代わりに又は照準レーザに加えて、照準ビームを高出力発光ダイオード（ＬＥＤ）によって提供してよい。照準ビームは患者の網膜上又はディスプレイインタフェース若しくは網膜の画像で走査されてよく、これによって治療境界及び／又はパターンをトレースするか又はその輪郭を描画して、治療境界及び／又はパターンを外科医に対して視覚的に表示する。網膜表面上に画定又は投射された治療境界及び／又はパターンは、カメラによってキャプチャして、ディスプレイインタフェース上で外科医又は他のユーザに対して表示してよい。
【００１９】
１つ又は複数の治療ビームパルス又は照射量を、網膜組織を治療するために、治療境界及び／又はパターン内に送達してよい。本明細書では治療ビームを一般に治療レーザと呼んでよいが、照準ビームと同様に、高出力発光ダイオード（ＬＥＤ）からの高強度光ビームといった他の光ビームを使用してよいことを理解されたい。治療パルス又は照射量は、走査デバイスが治療境界内において治療ビームの軸を連続的に走査している際に送達してよく、及び／又は走査デバイスが治療境界内において複数の特定の位置間で治療ビームの軸を順次移動させる際に送達してよい。循環する幾何学的形状を有する治療パターンを伴う実施形態では、１つ又は複数の治療ビームパルスを、上記複数の幾何学的形状のうちのいくつか又はそれぞれの中で送達してよい。ある具体的実施形態では、単一の治療ビームパルスを、上記幾何学的形状それぞれの概ね幾何学的中心において送達してよい。入射ビーム光の断面（例えばレーザビームスポット）は、上記幾何学的形状と概ね同一のサイズであってよい。いくつかの実施形態では、治療ビーム（例えばレーザビーム）の波長は約４００ｎｍ〜約６００ｎｍであってよく、より一般には約５２０ｎｍ〜５６０ｎｍであってよい。
【００２０】
治療処置（境界画定型治療処置とも呼ばれる）は、スリットランプ等の眼科撮像機器上に設置されて上記眼科撮像機器と共に動作するよう構成されたアダプタによって提供してよい。このアダプタは、レーザ送達機器といった既存の治療ビーム源と共にも動作してよい。外部コントローラ又はコンピュータシステムは、アダプタ及びレーザ送達機器と通信可能に連結されてよく、これによって網膜組織上に治療境界及び／又はパターンを画定して、上記治療境界／パターン内に治療ビームを送達する。アダプタ及び／又はコントローラにより、既存のスリットランプ及びレーザ送達機器は、上記アダプタ及び／又はコントローラがなければスリットランプ及びレーザ送達機器が送達できない、本明細書に記載の境界画定型治療処置を提供できる。
【００２１】
本発明の実施形態はまた、網膜撮像及び／又はトラッキングを用いて本明細書に記載の治療処置（例えば境界画定型治療処置）又は別の治療処置を提供する方法及びシステムを記載している。治療処置及び／又は治療境界は、患者の網膜の網膜画像又はモデルに対してプログラム及び／又は記録してよい。治療処置を実施するシステムは、網膜画像又はモデル及びプログラムされた治療処置又は治療境界を参照して、治療処置を提供するために患者の網膜の位置又は領域を決定してよい。続いてこのシステムは、治療処置を自動的に開始するか、又は調査、調整及び／若しくは処置続行の認証のために、治療境界／パターン及び対応する網膜治療領域を外科医に対して表示してよい。システムが、現在の又は過去の治療が完了した後すぐに、追加の治療処置を迅速かつ便利に実施し始めることができるように、複数のこのような治療処置をシステムにプログラムしてよい。提供される治療は、外科医又はユーザによる同時の又は後の検討のために、網膜画像又はモデルに対して記録してよい。例えば、あるパルス又はある照射量の治療ビームを受ける各位置に関して、網膜画像上に治療スポット又は他の印を重畳してよい。重畳されたスポット又は印は、治療処置が提供された網膜の領域の記録であってよい。これは、マイクロパルス手技において等、治療処置の視認可能な影響が網膜組織上に存在しない場合に特に有用であり得る。
【００２２】
網膜画像又はモデルに対して治療処置及び／又は治療境界手技を参照することにより、システムが手技中に患者の目の運動を補償できるようにしてもよい。例えば網膜のトラッキングにより、網膜の実質的になめらかな画像をカメラがキャプチャできるようにしてよく、及び／又はシステムを患者の眼の運動に対して調整して、治療処置を実質的に同一の位置に送達し続けることができるようにしてよい。本発明のいくつかの実施形態を簡単に説明してきたが、図面を参照することにより、追加の態様が明らかになるであろう。
【００２３】
治療処置ハードウェア及び構成部品の実施形態
図１Ａ〜１Ｇは、スリットランプ等の眼科撮像機器と連結することによって、本明細書に記載の境界画定型治療処置を提供できるように眼科撮像機器を適合させることができる、アダプタの実施形態の斜視図である。図２Ａ〜２Ｅは、スリットランプ２００と連結されたアダプタ１００を示す。図１Ａ〜１Ｃは、アダプタ１００の様々な斜視図を提供する。図１Ｄ〜１Ｇはまた、アダプタ１００内に格納された様々な構成部品を図示するためにアダプタのフロントカバーが取り外された状態の、アダプタ１００の斜視図を提供する。アダプタ１００は、一体に連結されたフロントカバー及びバックカバーを有するハウジング１０２を含む。アダプタ１００はまた、アダプタ１００を眼科撮像機器（例えばスリットランプ２００）と着脱可能に連結する設置部材１０４も含む。アダプタ１００はまた、アダプタ１００と眼科撮像機器２００との連結を促進する適合用構成部品１０５も含む。構成部品１０５は、設置部材１０４を眼科撮像機器の設置用特徴部分（図示せず）に対して強く圧迫する、回転可能な設置用ノブ１０３を含んでよい。構成部品１０５はミラー１０６も含み、このミラー１０６はアダプタ１００から送達された光を患者の眼に向けて反射し、またこのミラー１０６は、ある程度の光がカメラ（例えばカメラ３６０）及び／又は双眼鏡（例えば双眼鏡２１０）若しくは他の接眼鏡と連結された双眼鏡アダプタ１５２へと戻るように送達されるよう、透明又は半透明であってよい。構成部品１０５は更に、アダプタ１００及び／又は眼科撮像機器２００の回転式調整を可能とするアジャスタバー１３５を含んでよい。
【００２４】
アダプタ１００は更に、外部レーザ送達機器（例えばレーザ送達機器３１０）の光ファイバケーブルと連結したインタフェース又はポート１１０を含む。外部レーザ送達機器の光ファイバケーブルは、治療レーザ１１２をアダプタ１００に提供又は送達する。アダプタ１００は、治療レーザ１１２を照準デバイス１３０（本明細書では走査デバイス又はシステムとも呼ばれる）に向けて反射するミラー１３６を含む。ミラー１３６は、穴開きミラー、ハーフミラー、ダイクロイックミラー等であってよく、レンズホルダ上に設置できる。照準デバイス１３０は、Ｃａｍｂｒｉｄｇｅ  Ｔｅｃｈｎｏｌｏｇｙ（登録商標）製の検流計ベースのスキャナ（一般に「ガルボ（ｇａｌｖｏ）」と呼ばれる）であってよい。照準デバイス１３０は、回転可能な要素又はミラー１３２、１３４のペアを含み、上記ペアは、要素又はミラー１３２、１３４を垂直な軸の周りで回転させるモータの頂上に設置される。各ミラー１３２、１３４は１Ｄビーム偏向を提供してよく、これによりミラーのペアは２Ｄビーム偏向を提供する。照準デバイス１３０を用いて、眼に対して治療レーザ１１２及び／又は他のレーザ（例えば照準レーザ１２２）を走査し、これによって上記レーザを、眼上の又は眼の中の所望の位置に照準を合わせて点灯できる。例えば照準デバイス１３０は、照準レーザ１２２を走査することによって、網膜組織上の治療境界及び／又は治療パターンを画定するため、並びに治療境界／パターン内の治療レーザ１１２のビームを走査することによって、境界画定型治療処置を提供するために使用してよい。
【００２５】
照準レーザ１２２は、照準デバイス１３０に向かってミラー１３６を通過する。いくつかの実施形態では、アダプタ１００は、外部レーザ送達機器又は源（図示せず）から照準レーザ１２２を受ける別のインタフェース又はポート（図示せず）を含んでよく、上記外部レーザ送達機器又は源は、治療レーザ１１２を送達するレーザ送達機器と同一であっても、又は異なるユニットであってもよい。他の実施形態では、アダプタ１００はハウジング１０２内にレーザ送達機器又は源１２０を含む。例えばレーザ送達機器１２０は、照準レーザ１２２を提供するレーザダイオード１２４、又はその代わりに高出力ＬＥＤを含んでよい。レーザ送達機器１２０はまた、メモリデバイス及び／又はプロセッサ等のコンピューティングデバイス１２６も含んでよく、これは、照準レーザ１２２の送達を制御するために、外部コントローラ（例えばコントローラ３３０及び／又は３１０）と通信可能に連結される。
【００２６】
一実施形態では、照準レーザ１２２は、治療レーザ１１２のレーザ経路と実質的に直交するレーザ経路に沿って提供してよい。しかしながら、照準レーザ１２２及び治療レーザ１１２のレーザ経路は、照準レーザ１２２がミラー１３６を通過した後に位置合わせされるか、又は実質的に同軸となってよい。例えばレーザ経路１２８は、照準デバイス１３０から送達されて患者の眼に向けてミラー１０６から反射されるレーザの経路を図示する。この時点でレーザ経路は同軸に位置合わせされていてよいため、レーザ経路１２８は、照準レーザ１２２及び治療レーザ１１２のうちの一方又は両方に対応してよい。
【００２７】
照準レーザ１２２は、網膜上の治療境界及び／又はパターンの視認性を改善するために、可視スペクトル内で選択された波長を有してよい。例えばいくつかの実施形態では、照準レーザ１２２の波長は約６００ｎｍ〜約７００ｎｍであり、より一般には約６５０ｎｍである。照準レーザ１２２は眼の網膜及び／又は他の組織を損傷しない低強度ビームであってよい。照準レーザ１２２はまた、治療レーザ１１２の入射スポットよりも実質的に小さい入射スポット又は断面を有してよい。いくつかの実施形態では、治療レーザ１１２もまた可視スペクトル内で選択された波長を有してよいが、不可視波長を用いてもよい。ある具体的実施形態では、治療レーザ１１２の波長は約４００ｎｍ〜約６００ｎｍであり、より一般には約５２０ｎｍ〜５６０ｎｍである。治療レーザ１１２は、眼の網膜及び／若しくは他の組織を凝固させる、並びに／又は他の治療的治癒を提供するために使用してよい。
【００２８】
アダプタ１００はまた、治療レーザ１１２及び／又は照準レーザ１２２の断面又は入射スポットを増大させるために使用してよい、倍率機構１４０を含む。倍率機構１４０は、レーザ経路（例えばレーザ経路１２８）に沿って、照準デバイス１３０の遠位に位置決めされる。倍率機構１４０は、回転可能なレンズホルダ１４４上に設置された複数のレンズ１４２を含む。各レンズは、治療レーザ１１２及び／又は照準レーザ１２２の断面又は入射スポットを増大又は減少させる、特定の光学的力を有する。レンズホルダ１４４は、レーザ経路１２８に沿って所望のレンズを位置決めできるように回転してよい。いくつかの実施形態では、レンズホルダ１４４は、ハウジング１０２の外側表面上に位置決めされた制御ノブ１４６を回転させることによって回転されるが、いくつかの実施形態では、レンズホルダ１４４を電子的に回転させてよい。
【００２９】
図２Ａ〜２Ｅは、スリットランプ２００と共に設置されたアダプタ１００の様々な斜視図であり、上記スリットランプ２００は、Ｈａａｇ‐Ｓｔｒｅｉｔ  Ｉｎｔｅｒｎａｔｉｏｎａｌ（登録商標）、Ｃａｒｌ  Ｚｅｉｓｓ（登録商標）等によって製造されたもの等の、一般に使用されるいずれのスリットランプであってよい。スリットランプ２００は、患者の眼の立体視画像を提供する双眼鏡２１０を含む。双眼鏡２１０は、双眼鏡アダプタ１５２と連結してよい。スリットランプ２００はまた、垂直なフレーム部材２２２、顎部台２２４及び頭部台２２６を有する、患者固定フレーム２２０を含む。図示されていないものの、スリットランプ２００はまた、様々なスリットランプの構成部品の機能制御及び／若しくは動作を提供するため並びに／又は治療処置ビームを送達するために使用できる、ジョイスティック及びフットペダルを含んでよい。スリットランプ２００及び／又は顎部台２２４は、様々なサイズの患者に適合できるよう、垂直方向に調整可能であってよい。
【００３０】
図３は、本明細書に記載の治療処置を提供するために使用できる様々な制御の実施形態を示す。具体的には、図３は、光ファイバ３２４を介して外部レーザ送達機器３１０と連結されたアダプタ１００を示す。光ファイバ３２４はポート１１０に接続され、治療レーザ１１２をアダプタ１００に送達する。光ファイバ３２４は、レーザ送達機器又は源３１０上の複数の光ファイバポート３２２のうちの１つと連結してよい。光ファイバポート３２２は、２つの光ファイバ３２４をレーザ送達機器３１０に接続できるようにすることができる。レーザ送達機器３１０はまた、治療処置に関する設定及び制御を図４Ａ〜４Ｃに示すように表示するディスプレイインタフェース３２０（例えばタッチスクリーンインタフェース）も含む。レーザ送達機器３１０はまた、ユーザがレーザ送達機器の様々な設定を遠隔操作及び調整できるようにする、遠隔制御ユニット３２６（無線又は有線）も含んでよい。同様に、レーザ送達機器３１０は、治療処置を実施するために及び／又は治療レーザ１１２を送達するために操作されるフットペダル３４０を含んでよい。フットペダル３４０は、レーザ送達機器３１０と無線で連結されてよい。レーザ送達機器３１０の例としては、ＩＲＩＤＥＸ  Ｃｏｒｐ（登録商標）によって製造されているＩＱ５３２、ＩＱ５７７、Ｏｃｕｌｉｇｈｔ  ＴＸ等が挙げられる。
【００３１】
レーザ送達機器３１０は、その従来の状態では境界画定型治療処置を提供できない従来のユニットであってよい。レーザ送達機器３１０がこの治療を提供できるようにするために、コンピュータシステム３３０をレーザ送達機器３１０及び／又はアダプタ１００と通信可能に連結してよい。コンピュータシステム３３０は、レーザ送達機器３１０と通信するためにレーザ送達機器３１０の１つ又は複数のポートに差し込まれる、別個のセットトップボックスであってよい。更にコンピュータシステム３３０は、治療処置を実施するためにコンピュータシステム３３０を様々な他のシステム又はユニットとインタフェース接続できる、１つ又は複数のプロセッサ及びメモリデバイスを含んでよい。情報はコンピュータシステム３３０と、レーザ送達機器３１０のコンピュータシステム又はプロセッサとの間でルーティングしてよく、これによってコンピュータシステム３３０は、治療レーザ１１２の送達を制御し、ディスプレイインタフェース３２０を介してユーザに情報をグラフィカルに表示する。例えばコンピュータシステム３３０は、レーザ送達機器３１０のコントロール（例えばタッチスクリーンコントロール、リモートコントロール３２６、フットペダル３４０等）とインタフェース接続してよく、これによってレーザ送達機器３１０の上記コントロールの調整がコンピュータシステム３３０の設定及びパラメータを構成又は調整できる。図４Ａ〜４Ｃに示すように、コンピュータシステム３３０はディスプレイインタフェース３２０を制御して、投射されている特定の治療境界／パターンの形状、配向、規模、幾何学的パターン、レーザ強度といった、境界画定型治療処置の様々な設定及び／又は操作を表示してよい。コンピュータシステム３３０は、（１つ又は複数の命令によって）レーザ送達機器３１０を制御して、治療レーザ１１２の複数の照射量を特定のポイント及び特定の時点において送達してよい。例えばコンピュータシステム３３０は、治療レーザ１１２のビーム又は照射量が所定の治療境界、治療パターン及び／又は以下に説明するような所定の幾何学的形状内に送達されるように、レーザ送達機器３１０を制御してよい。同様にコンピュータシステム３３０は、送達される治療レーザ１１２が眼の網膜組織を凝固させるか、又は以下に説明するような、パルス間に所定の緩和用間隔を有する外傷性の低い一連の短幅パルス（例えばマイクロパルス）を提供するように、レーザ送達機器３１０を制御してよい。
【００３２】
要するに、コンピュータシステム３３０は、外科医又はユーザがコンピュータシステム３３０と対話して治療処置の様々なパラメータを調整できるようにするために、レーザ送達機器３１０がコンピュータシステム３３０のためのパススルー入力及びインタフェースデバイスとして機能するように、レーザ送達機器３１０と通信可能に連結してよい。コンピュータシステム３３０はまた、治療レーザ１１２をアダプタ１００に送達するための、レーザ送達機器３１０の既存のコントロール（例えばフットペダル３４０、内部ハードウェア構成部品等）と共に機能する。
【００３３】
コンピュータシステム３３０はまた、様々な照準又は他の機能を実施するために、アダプタ１００と通信可能に連結される。例えばコンピュータシステム３３０は、治療レーザ１１２及び照準レーザ１２２を網膜の特定の領域上に照準を合わせるか又は走査するために、照準若しくは走査デバイス１３０及び／又はレーザ送達機器１２０を制御してよい。コンピュータシステム３３０は、治療処置手技中に治療レーザ１１２及び照準レーザ１２２をインタリーブしてよい。コンピューティングデバイス３３０は、治療境界又は治療パターンを網膜上に画定又は投射するために、照準レーザ１２２の送達を制御し、走査デバイス１３０を制御する。
【００３４】
いくつかの実施形態では、制御ユニット３３０は、治療レーザ１１２がオフに切替えられている間に照準レーザ１２２をオンに切替えて、治療境界を画定する。続いて制御ユニット３３０は、治療レーザ１１２が治療境界内の標的組織において点灯している間に照準レーザ１２２をオフに切り替える。治療レーザ１１２の連続する点灯の間に、制御ユニット３３０は照準レーザ１２２をオンに切り替えることによって、治療境界又はパターンを網膜上に再画定又は投射してよい。図７Ａ〜７Ｆに示すように、結果として得られる観察者に対する視覚的効果は、治療境界又はパターン内の標的組織上に治療レーザからの治療スポットが順次点灯されて観察される間、網膜上に治療境界又はパターンが略連続的に出現していることであってよい。マイクロパルスの送達等のいくつかの実施形態では、治療レーザ１１２が治療境界内で点灯されている間、照準デバイス１３０は連続的に走査されてよい。
【００３５】
いくつかの実施形態では、別個のユニットとして図示されているものの、レーザ送達機器３１０及びコンピュータシステム３３０は単一のユニットに合併され、これによって実質的に全ての制御及び走査が単一のユニットから提供される。更に、以下により詳細に記載するように、コンピュータシステム３３０は、以下に説明される網膜撮像及びトラッキング特徴を提供するため、並びに治療境界及び／又はパターンをディスプレイインタフェース３２０等のディスプレイデバイス上に表示するために、カメラ３６０（例えばＣＣＤカメラ等）と連結されてよい。
【００３６】
コンピュータシステム３３０はハードウェア及び／又はソフトウェアを備えてよく、これは、本明細書に記載の方法のうちのいくつか又は全て又は１つ若しくは複数を実装するための機械可読プログラム命令又はコードを実行する、１つ又は複数のプログラマブルプロセッサを含む場合が多い。コードは、メモリ（任意に読み取り専用メモリ、ランダムアクセスメモリ、不揮発性メモリ等）及び／又は記録媒体（フロッピー（登録商標）ディスク、ハードドライブ、ＣＤ、ＤＶＤ、メモリスティック等）といった有形媒体において実体化される場合が多い。
【００３７】
図４Ａ〜４Ｃは、ディスプレイインタフェース３２０上に表示できる様々なディスプレイを示す。治療用の光が治療レーザ１１２によって網膜組織上に送達されることになる９個の治療領域又は位置の正方形グリッドを含む治療パターン４０６を表示する、ディスプレイ４１０が示されている。このグリッドは、このグリッドが治療ボックス又は位置の３×３のアレイ、治療位置の４×４のアレイ、治療位置の５×５のアレイ、又は治療位置のユーザ定義アレイを含むように、コントロール４０４を用いて調整してよい。ディスプレイ４１０はまた、様々な設定、制御及び／又はパラメータを設定又は調整するために使用してよいコントロール４０２Ａ〜４０２Ｃも含む。例えばコントロール４０２Ａは、各治療位置内に送達されることになる治療スポットの中点間の間隔を制御するために、即ち換言すると、治療パターンの規模を画定するために使用してよい。コントロール４０２Ｂは、網膜に対する治療位置のアレイの配向を制御するために使用してよい。コントロール４０２Ｃは、必要な場合にアレイの弧及び／又は曲率半径を制御するために使用してよい。図４Ａは、弧及び曲率半径を有しない治療パターン４０６を示す。図４Ｃは、治療スポットの３つの行及び６つの列を含む、アーチ状の又は湾曲した治療パターン４３６を有するディスプレイ４３０を示す。治療パターン４３６は、ゼロでない弧（例えば３６０°）及び曲率半径（例えば２０００マイクロメートル）を含み、これによって治療パターン４３６は湾曲する。ディスプレイ４３０は同様に、制御ボタン４３２Ａ〜４３２Ｃ、４３４を含む。図４Ｂは、治療レーザ１１２及び／又は照準レーザ１２２の様々なパラメータを調整又は設定するために使用できるディスプレイ４２０を示す。例えば、タッチスクリーンコントロールを含んでよいディスプレイ４２０のコントロールは、治療レーザ１１２が点灯される期間４２２（例えばマイクロ秒間隔）を調整するため、治療レーザ１１２の電力レベル４２４（例えばマイクロワット）を調整するため、及び連続する治療レーザの点灯の間の間隔４２６（例えばマイクロ秒）を調整するために使用してよい。
【００３８】
ディスプレイ４２０は、従来の光凝固手技とマイクロパルス手技との間で治療レーザ１１２を調整するために使用してよい。ディスプレイ４２０はまた、光ファイバ３２４が接続されることになるポート（例えば３２２）を選択するコントロールといった、他のコントロール４２８も含んでよい。上述のように、ディスプレイ３２０のコントロールはタッチスクリーンコントロールであってよく、又は回転可能若しくは選択可能なタブ若しくはボタンを含んでよい。
【００３９】
治療境界及び／又はパターンの実施形態
図５Ａ〜５Ｆは、本明細書に記載の治療処置のために使用してよい治療境界及び／又はパターンの様々な実施形態を示す。これらの治療境界／パターンは、照準又は走査レーザ１２２によって患者の網膜上に投射又は画定してよい。投射又は画定された境界又はパターンをカメラによってキャプチャして、ディスプレイインタフェース３２０等のディスプレイデバイス上にユーザ又は外科医に対して表示してよい。治療境界／パターンは、その中で治療処置が提供され、かつその外側で治療処置が提供されない領域を画定する。本明細書に記載の治療境界プロセスの１つの利点は、治療領域の境界が明確に画定されることであり、これによって外科医又はユーザは、治療処置が提供される場所及び提供されない場所を正確に知るか又は決定することができる。
【００４０】
図５Ａは、その中で１つ又は複数の治療レーザパルス又は照射量が点灯され得る単一の治療領域５１２を取り囲む、正方形又は矩形の治療境界５１０を示す。図５Ｂは、複数の同一サイズの治療正方形又は矩形５２２のグリッド又はアレイを含む治療パターン５２０を示す。治療パターン５２０は、周縁部５２６及び内部のライン５２６によって画定される。図５Ｂは３×３のアレイを図示しているが、いずれのＭ×Ｎのアレイを使用してよい。図５Ｃは、４つの側部を有する複数の幾何学的形状５３２のアレイを含む、アーチ状の又は湾曲した治療パターン５３０を示す。各形状５３２は、対向する直線状側部５３６と、対向するアーチ状の側部５３４とを有する。治療パターン５３０は曲率半径を有してよく、対向する直線状側部５３６はそれぞれ、中点から放射状に突出してよい。図５Ｄは、ハニカムパターンに配設された複数の六角形形状５４２を有する治療パターン５４０を示す。図５Ｅは、治療レーザパルス又は照射量が送達されることになる位置を画定する複数の照準スポット５５２の正方形又は矩形アレイを有する治療パターン５５０を示す。図５Ｆは、治療レーザパルス又は照射量が送達されることになる位置を画定する複数の照準スポット５６２の半円形アレイを有する治療パターン５６０を示す。
【００４１】
走査又は照準デバイスにより照準レーザ（例えば照準レーザ１２２）の位置を制御することによって、治療境界、パターン及び／又は幾何学的形状を網膜上に投射又は画定してよく、これにより照準レーザは、網膜組織上に治療境界、パターン及び／若しくは幾何学的形状の輪郭を描画するか若しくは画定し、並びに／又はディスプレイデバイス若しくはインタフェース上に治療パターンを表示できる。照準レーザの位置を複数のパルスそれぞれの間で調節することによって、網膜上に治療境界、パターン及び／又は幾何学的形状を画定するか、又はこれらの輪郭を描画してよい。結果的に得られる視覚的効果は、図５Ａ〜図５Ｄに示すように網膜上に画定される中実、半中実又はパルス状の治療境界、パターン及び／又は幾何学的形状であってよい。
【００４２】
図５Ａ〜図５Ｄは、単なる例示を目的としたものであること、及び治療境界／パターンは、循環パターンを含んでも含まなくてもよい幾何学的形状の他の様々なアレイを含んでよいことを理解されたい。
【００４３】
図６Ａ〜図６Ｆは、治療境界若しくはパターン内で点灯若しくは送達される、又はこれらと同軸に送達される治療レーザを表す治療スポットを示す。治療スポットは、従来の光凝固手技においてと同様に、治療レーザ点灯時に発生する視認可能な組織損傷を表してよく、又はマイクロパルス手技においてと同様に、組織損傷が視認できない場合であっても、治療レーザを点灯した位置を表してよい。図６Ａは複数の治療スポット６１２を示し、これらは、治療レーザ（例えば治療レーザ１１２）を点灯した又は点灯することになる治療境界５１０内の位置を表す。同様に、図６Ｂは、治療パターン５２０の各治療正方形又は矩形５２２内で点灯されている治療スポット６２２を示す。図６Ｃは、治療パターン５３０の各幾何学的形状５３２の中心の実質的に内部で点灯されている治療スポット６３２を示し、図６Ｄは、治療パターン５４０の各六角形形状５４２の略中心内で点灯されている治療スポット６４２を示す。図６Ｃは、アーチ状治療処置が提供される実施形態を示し、図６Ｄは、治療スポットの間隔がより緊密であるか又は密接している実施形態を示す。図６Ｄの治療スポットは、隣接する行及び／又は列の治療スポットと重なってよい。図６Ｅ、６Ｆはそれぞれ、治療パターン５５０、５６０の照準スポット５５２、５６２に対して実質的に同軸に送達される治療スポット６５２、６６２を示す。別の実施形態では、大きい円６５２、６６２は画定された治療パターンを表してよく、小さいスポット５５２、５６２は、各治療パターンの略中心内において点灯又は送達された治療レーザを表してよい。このような実施形態は、画定された治療パターン又は境界が、接触して隣接する幾何学的形状を有する必要はないことを示す。寧ろ幾何学的形状のうちのいくつか又は全ては、１つ又は複数の隣接する幾何学的形状から隔離されてよい。
【００４４】
図６Ｂ〜図６Ｄは、各幾何学的形状内に送達される単一の治療スポットを示すが、いくつかの実施形態では、多数の（例えば２つ、３つ、４つ又は５つ以上）のスポットを幾何学的形状のうちの１つ又は複数内に送達してよい。同様に、各幾何学的形状内に送達される治療スポットの数は変化してよく、これによって追加の治療処置の柔軟性が提供される。
【００４５】
図８は、治療処置が望まれない網膜組織８２０に隣接して配置された治療パターン又は境界８１０を示す。治療パターン８１０は、組織８２０が治療パターン又は境界の外側となるよう、組織８２０に隣接して配置される。組織８２０は、感受性組織、眼の特徴部分（例えば眼窩、黄斑等）及び／又は治療処置が望まれない他のいずれの組織であってよい。上述のように、治療パターン８１０は網膜上に投射され又は画定され、これによって外科医又はユーザは、治療パターン８１０の外縁部又は周縁を組織８２０に隣接して位置決めできる。網膜上への治療パターン８１０の投射又は画定により、外科医又はユーザは、組織８２０が治療されないことを保証しながら、治療パターンを組織８２０に近接して又は組織８２０から離間して位置決めできる。また、図８に示すように、治療処置（即ち治療スポット８３０）は治療パターン８１０内に閉じ込められており、これによって組織８２０が治療処置を受けないことを保証する。治療パターン８１０の形状及び／又は治療パターン８１０のパラメータ（例えば間隔、半径、行又は列の数等）を変更することによって、眼の様々な特徴部分を収容してよい。例えば、図５Ｃの半円形パターンは、組織８２０の一部分又は眼窩を包囲するために使用してよい。同様に、図５Ｄのハニカムパターンは、治療スポットを治療領域内に密に詰め込むために使用してよい。
【００４６】
治療処置手技の実施形態
いくつかの実施形態では、治療レーザを、図６Ｂ〜図６Ｄに示すような各幾何学的形状の略幾何学的中心内で点灯してよい。網膜に入射する治療レーザの治療スポットサイズは、上記幾何学的形状と実質的に等しいサイズであるか、又はこれより僅かに小さくてよい。更に、上述のように、治療レーザの点灯中に照準レーザをオフに切り替えてよく、照準ビームが治療境界又はパターンを画定するか又はその輪郭を描画している際に治療レーザをオフに切り替えてよい。
【００４７】
治療処置パルス又は照射量（例えば図６Ａ〜図６Ｄに示すスポット）は、治療境界若しくはパターンを通した治療レーザビーム（若しくはより適切には治療レーザビームの軸）の連続的な走査中に送達してよく、又は治療レーザビームは、各標的部位まで順次移動されてよく、そして治療レーザを一時的に停止している間に治療レーザを点灯させてよい。連続走査手技は、マイクロパルス手技が治療レーザに関連する開始及び停止時間を最小化することによって手技時間全体を最小化するために、特に有用であり得る。治療レーザビーム（即ち治療レーザの軸）は、治療レーザビームが指定された終点に到達する、及び／又は治療境界若しくはパターン全体を走査するまで、治療境界／パターンを通して行ごと及び／又は列ごとに連続的に走査されてよい（例えばラスタ走査パターンと同様）。治療レーザは、連続走査中、治療レーザが指定された標的部位それぞれに近接する際に、所定の期間だけ順次又は繰り返し点灯されてよい。治療レーザビームを走査及び連続走査の開始点に再位置決めしてよく、点灯プロセスを繰り返すことによって、既に治療された網膜組織のうちのいくつか又は全てに追加の治療処置を提供してよい（例えば追加の治療処置は、いくつかの又は各標的部位に提供される）。別の実施形態では、治療レーザを各治療位置に停止又は一時停止させて、十分な治療が提供されるまで治療レーザを上記治療位置で繰り返し点灯させてよい。
【００４８】
マイクロパルス手技では、同一の標的部位における治療処置パルス又は照射量間の間隔は、治療中の網膜組織が十分に緩和され、組織の温度が凝固による損傷の閾値を下回ったままとなるよう、十分に長くてよく、これにより組織損傷を最小化できる。マイクロパルス手技の熱的効果は、網膜色素上皮層だけに限局されてよい。いくつかの実施形態では、この緩和間隔又は熱緩和時間の遅延は、約１９０マイクロ秒以上であってよい。同様に、いくつかの実施形態では、治療レーザの点灯期間（即ち治療パルス又は照射期間）は約５〜１５マイクロ秒であり、より一般には約１０マイクロ秒である。
【００４９】
各走査及び点灯プロセス（即ち所定の開始点と終点との間）は、マイクロパルス手技の１つのサイクルを構成してよい。マイクロパルス手技は、約１０〜１００００サイクルを伴ってよい。いくつかの実施形態では、治療レーザは、走査の各サイクル中に９個以上の治療部位で点灯され、各マイクロパルスサイクルは約０．５〜１．５ミリ秒、より一般には約１ミリ秒で完了するが、治療レーザはいずれの数の治療部位で点灯してよく、各サイクルはより短い又はより長いサイクル期間を含んでよいことを理解されたい。更に、所与の治療境界／パターンに対する治療処置手技は、単一の連続走査、又はそれぞれ異なる開始点及び終点を有する数回の連続走査を含んでよい。
【００５０】
ある代替実施形態では、治療レーザは、各標的部位に順次配置されてよく、一連のマイクロパルスは、次の治療部位への移動前に上記標的部位に送達されてよい。各パルスは、特定の期間（例えば約５〜１５マイクロ秒、より一般には約１０マイクロ秒）だけ点灯されてよく、また各パルスは、標的部位の網膜組織が十分に緩和し、組織の温度が凝固温度を下回ったままとなるよう、十分に長い緩和間隔（例えば約１９０マイクロ秒以上）を有してよく、これにより組織の損傷を最小化する。短幅パルスは、マイクロパルス手技において公知であるように、治療的治癒の光活性化を誘発又は提供するのに十分なものであり得る。前者のマイクロパルス実施形態は、緩和間隔中に、治療レーザを他の治療部位において点灯でき、これにより全体的な治療時間が最小化されるという利点をもたらす。
【００５１】
マイクロパルス手技はまた、治療レーザビーム（即ち治療レーザの軸）が、各レーザパルス又は照射量間の所定の時間間隔で、連続走査されている際に、一連のパルスを送達してもよく、これにより、隣接する治療スポット間の所定の間隔を提供する。このような手技は、例えば図５Ｂ〜図５Ｄに示すもののような幾何学的形状のアレイを有する治療パターンを使用する場合、及び／又は例えば図５Ｅ、５Ｆに示すもののような照準スポットのアレイを使用する場合に、有益であり得る。所定の時間間隔及びその結果として得られる間隔は、各パルスが、幾何学的形状のうちの１つの中の、各形状の略幾何学的中心内に、及び／又は照準スポットのうちの１つ若しくは複数に亘って、送達されるようなものであってよい。
【００５２】
治療処置手技は、治療処置を網膜の１つの領域に送達し、続いて治療処置を網膜の１つ又は複数の他の領域に送達するステップを伴ってよい。例えば、照準デバイス（例えば照準デバイス１３０）は、網膜の第１の領域上に第１の治療境界又はパターンを画定して、画定された第１の治療境界又はパターン内に治療処置を送達し、続いて網膜の第２の領域上に第２の治療境界又はパターン（即ち同一の又は異なる境界／パターン）を画定して、画定された第２の治療境界又はパターン内に治療処置を送達してよい。このプロセスを所望の回数だけ繰り返すことによって、治療処置を提供してよい。
【００５３】
図９Ａは、連続走査プロセス中に治療レーザの点灯によって得られた細長い治療スポット９００を示す。図９Ａに対応する治療レーザの治療スポットは、実質的に円形の断面を有してよい。細長いスポットが生じる原因は、治療レーザが点灯プロセス中に連続的に移動することであり得る。従って、マイクロパルス点灯期間が短い（例えば約１０マイクロ秒）場合であっても、治療レーザの連続的な移動によって多少の伸長が発生し得る。連続的に移動する治療レーザの影響を最小化するため、組織に入射する治療スポットの断面は、図９Ｂに示すように治療レーザ経路と直交する方向に横長楕円形又は縦長楕円形になり得る。図９Ｃに示すように、横長楕円形又は縦長楕円形治療スポット９１０は、治療レーザビーム又はより適切に言えば治療レーザビームの軸が網膜全体に亘って走査されて一連のパルスが送達される際に、網膜上に、より円形の治療スポット９３０又は入射光プロファイルを生成するのを容易にする。
【００５４】
網膜マッピング／トラッキングの実施形態
図１０Ａ〜図１０Ｃは、本明細書に記載のもの等の治療処置プロセスで使用できる網膜マップ、プロファイル又は画像を伴う実施形態を示す。図１０Ａは、スリットランプ又は他の眼科撮像機器の１つ又は複数のカメラ（例えばカメラ３６０）を用いてキャプチャできる、患者の網膜の網膜マップ又は画像１０００を示す。上述のように、コンピュータシステム３３０は、網膜マッピング、撮像及び／又はトラッキング提供するために、カメラ３６０と通信可能に連結してよい。コンピュータシステム３３０は、網膜１０１２の画像１０００を生成でき、かつ治療処置によって治療される１つ若しくは複数の治療領域及び／又は１つ若しくは複数の治療パターンを決定する補助となる情報を提供できる、測定デバイスを有してよい。網膜画像１０００を参照することによって、ビーム、例えば治療ビーム１１２を網膜の治療領域に向けて配向してよい。このビームは治療処置を提供できる。治療スポット等の印を、治療領域に対応した位置において網膜画像１０００上に重畳して、提供される治療処置を記録してよい。例えば、治療スポット又は他の印を、ビームが点灯される各位置において網膜画像１０００上に重畳してよい。重畳された複数の治療スポットは、提供される治療処置を表示してよい。次に、網膜画像を参照することによってビームを網膜の別の治療領域に再位置決めし、第２の治療処置を提供し、及び／又は上述の様式で重畳された治療スポットと共に記録してよい。
【００５５】
いくつかの実施形態では、画像１０００に関して治療領域、境界及び／又はパターン１０２０を参照することによって、治療領域、境界及び／又はパターン１０２０の位置と画像１０００のデータとの関係を確立できる。治療領域、境界及び／又はパターン１０２０を網膜１０１２上の特徴部分又は基準位置１０１０にリンクさせてよく、様々な静脈、動脈、視神経円板、黄斑、網膜の標識又は特徴部分といった上記特徴部分又は基準位置１０１０を、画像１０００中で識別できる。治療領域、境界及び／又はパターン１０２０の位置確認及び／又は決定と共に、測定デバイス（例えばコンピュータシステム３３０）は更に、アダプタ１００及びスリットランプ２００といった治療処置送達システムが使用する治療命令のセットを計算できるプロセッサシステムの少なくとも一部分を含んでよい。
【００５６】
測定デバイス（例えばコンピュータシステム３３０）並びに／又は治療処置システム（例えばアダプタ１００及びスリットランプ２００）は、メモリに保存されたソフトウェアと、患者の網膜の撮像及び患者の網膜に対する治療処置（例えば治療レーザ１１２）の送達、並びに撮像組立体の１つ又は複数の光軸に対する患者の眼の配置又は位置（任意にｘ方向、ｙ方向及びｚ方向における並進並びにねじり回転を含む）等を制御するために使用できるハードウェアとを有してよい。例示的実施形態では、コンピュータシステム３３０（例えば測定デバイス）は特に、カメラ３６０を用いて撮影した１つ又は複数の画像に基づいて治療領域、境界及び／又はパターン１０２０を計算し、２つの画像内における患者の眼のずれを測定するようプログラム可能である。更にコンピュータシステム３３０は、レーザビーム（例えば、治療レーザ１１２及び／又は照準レーザ１２２）の光軸に対する患者の眼／網膜の運動又は位置ｘ（ｔ）、ｙ（ｔ）、ｚ（ｔ）及び回転方向を、効果的にはリアルタイムで測定するようプログラムでき、これによってコンピュータシステム３３０は、患者の眼のリアルタイムの位置上に所望の治療領域、境界及び／又はパターン１０２０を位置合わせ又は整列させることができる。
【００５７】
治療中に、患者の眼の所望の治療領域、境界及び／又はパターン１０２０を位置合わせするために、カメラ３６０によって撮影された患者の網膜からの画像は、共通の座標系を共有するべきである。この共通の座標系は、瞳孔若しくは内側虹彩境界の中心、外側虹彩境界の中心、様々な静脈若しくは動脈の中心、視神経円板若しくは黄斑の中心、他の網膜の標識若しくは特徴部分の中心、又は眼の他のいずれの適切な特徴部分に基づくものであってよい。
【００５８】
図１０Ｂに示すように、治療処置によって治療されることになる１つ又は複数の所望の領域は、第１の網膜画像１０００と関連した診断データを参照して決定されてよく、この第１の網膜画像１０００は、カメラ３６０によってキャプチャされ、及び／又は過去に取得されてコンピュータシステム３３０に入力される。次に、各治療領域に関して使用される境界及び／又はパターン１０２０を決定してよい。これらの決定は、コンピュータシステム３３０の助けを借りて若しくはこのような助けなしで外科医により行われてよく、又はいくつかの実施形態では、コンピュータシステム３３０によって自動的に行われてよい。各治療領域、境界及び／又はパターン１０２０は同一であってよく、又は異なってよい。
【００５９】
いくつかの実施形態では、次に、１つ又は複数の所望治療領域、境界及び／又はパターン１０２０をコンピュータシステム３３０にプログラムしてよい。コンピュータシステム３３０はカメラ３６０と共に動作し、患者の網膜と網膜画像１０００とを比較することによって、１つ又は複数のプラグラムされた治療領域に対応した患者の網膜１０１２の領域を決定してよい。いくつかの実施形態では、治療処置手技の直前等にカメラ３６０によって眼の第２の画像をキャプチャし、２つの画像を処理又は比較して網膜治療位置情報を生成し、次にこの情報を第２の画像に参照させてよい。１つ若しくは複数の治療領域、１つ若しくは複数の境界及び／又は１つ若しくは複数のパターンを、治療処置手技の前に患者の網膜上に重畳し、及び／又はディスプレイインタフェース（例えばタッチスクリーンディスプレイ３２０）上に表示し、これによって、提供されることになる１つ又は複数の治療及び上記１つ又は複数の治療を受けることになる領域を表示してよい。外科医又はユーザは、上記1つ又は複数の治療処置を評価してよく、所望によっては治療処置のうちの１つ又は複数の特性（例えば配向、規模、境界、パターン等）を修正又は調整してよい。
【００６０】
いくつかの実施形態では、コンピュータシステム３３０は、アダプタ１００又は治療処置システムの他の構成部品に命令を出すことによって、網膜１０１２上の治療境界及び／又はパターン１０２０を画定するために照準レーザビーム（例えば照準レーザ１２２）を網膜１０１２の所定の治療領域上に点灯してよい。他の実施形態では、治療境界及び／又はパターンは網膜上に画定されなくてよく、従って照準レーザは不要となり得る。
【００６１】
コンピュータシステム３３０はまた、レーザ送達機器３１０又は他の治療処置システム構成部品に命令を出すことによって、治療領域内、並びに／又は照準レーザビームによって画定された治療境界及び／若しくはパターン１０２０内において、治療レーザビーム（例えば治療レーザ１１２）を網膜１０１２に配向してよい。第２のレーザビーム（例えば治療レーザ１１２）は、所望の治療処置パルス又は照射量１０３０（例えばマイクロパルス又は他の治療）を、図１０Ｃに示すように画定された治療領域及び／又は治療境界及び／又はパターン１０２０内の網膜組織に送達してよい。
【００６２】
網膜画像１０００は、即座に又は後に参照するためにメモリデバイス及び／又はデータベース内に保存されてよい。上で概説したように、患者が受ける１つ又は複数の治療をトラッキングするために、網膜組織１０１２に提供された治療処置１０３０を網膜画像１０００上に記録してよい。提供される治療処置の記録は、網膜画像１０００に対する治療レーザビーム１１２の位置（即ちレーザビーム軸の位置）を監視するステップと、治療レーザ１１２を点灯した際の治療レーザの各位置を記録するステップとを伴ってよい。個々の治療スポット又は位置を網膜画像１０００上に記録することによって、治療を受けた領域を表示してよい。このようなマッピング及び記録手技は、治療処置の視認可能な効果が存在せず、よって上記このようなマッピング及び記録手技がなければ過去のマイクロパルス治療を知ることができない場合の、マイクロパルス治療処置手技において、特に有用となり得る。
【００６３】
同様に、１つ又は複数の治療処置セッションに亘って患者に提供される複数の治療処置を、網膜画像１０００上にマッピング又は撮像してよい。続いて提供される各治療処置を、網膜画像１０００又は第２の網膜画像上に記録してよく、これによって、提供される実際の治療処置を、マッピング又は撮像された治療処置と比較して、患者の全体的治療処置状態をトラッキングするか、又は治療の進展及び上記治療に対する患者の応答を決定してよい。
【００６４】
コンピュータシステム３３０及びカメラ３６０はまた、患者の眼の移動に応答して治療処置システム（例えば治療レーザ１１２及び／又は照準レーザ１２２）を調整するために使用してよい。例えば、コンピュータシステム３３０は、カメラ３６０によって提供される１つ又は複数の他の画像と合わせて網膜画像１０００を参照することにより、患者の眼が移動したかどうかを決定してよい。眼の移動に応答して照準レーザ１２２の位置を調整することで、投射又は画定された治療境界／パターンは網膜に対して正確な配向を維持してよい。同様に、治療レーザ１１２の位置も調整することによって眼の移動を補償してよく、これにより、調整された治療領域、境界及び／又はパターン内で治療レーザ１１２を確実に点灯させる。調整は、眼の網膜特徴部分（例えば静脈、動脈、黄斑等）の新たな位置を決定するステップ、網膜特徴部分の新たな位置に基づいて治療境界／パターンの新たな位置を決定するステップ、及びこれに応じて照準デバイス１３０を調整するステップを含んでよい。カメラ３６０によってキャプチャされた画像はコンピュータシステム３３０に提供され、網膜画像１０００とリアルタイムで比較されて、眼の移動に基づく治療処置のリアルタイムトラッキング及び調整を提供できる。
【００６５】
連続的治療パターンを投射するステップの実施形態
本明細書に記載しているように、いくつかの実施形態では、マイクロパルス手技を用いて、患者の眼の眼球組織（例えば網膜組織、前眼房の組織等）に治療用の光を送達してよい。このようなマイクロパルス治療は典型的には、多数のミリ秒のパルスを数ミリ秒の期間に亘って低いデューティサイクルで送達することを含む。これらの手技は、他の従来の手技とは異なり、損傷を引き起こさない。これらの手技はまた、典型的には、眼球組織に対していずれの視認可能な端点を生成しない。走査手技において、パターンが横断されて治療が実施される場合、治療されるポイントの視覚的指示が好ましい場合が多い。
【００６６】
更に、各治療位置において、マイクロパルスバースト間の実用上最大の熱緩和を可能とするために、低いデューティサイクルが望ましい場合が多いため、マイクロパルス治療は、治療位置又はポイントあたりの長い治療時間を必要とし得る。治療される位置又はポイントの視覚的指示を提供しながらマイクロパルスバースト間の熱緩和を増大させるために、マイクロパルス治療ビームを、治療パターンの開始位置に戻る前に、治療パターン内の全ての治療位置に亘って走査してよい。治療用の光を概ね同一の眼球標的位置に送達する精度又は再現性を上昇させるために、治療用の光の送達中にビームが各治療位置に固定されるように、治療ビームを複数の標的位置間で増分的に走査してよい。治療ビームが連続的に走査されて治療用の光が送達される実施形態では、光の送達は、走査ミラーのモータ機能の僅かな変動によって、治療位置から僅かに逸れる場合がある。治療用の光の送達中にビームが各治療位置に固定されるように、治療ビームを増分的に走査することによって、比較的高額な走査用ミラー系を使用する必要を排除することもできる。
【００６７】
走査が十分に短い期間で終了した場合、眼球組織に向かって配向された治療用の光の視覚的効果は、治療パターンの大半又は全てが眼球組織上で視認できるようになることであってよい。換言すると、治療パターンの複数の標的位置は、治療ビームによって眼球組織上に略同時に現れることができる。この視覚的効果により、外科医が治療を受けた領域を迅速かつ容易に推定できようにすること、及び／又は後のマイクロパルス治療のために治療ビームを移動させるべき領域を評価できるようにすること等によって、マイクロパルス治療を提供するにあたって外科医をガイドすることができる。更に、治療ビームは、最初の治療位置に戻る前に、全治療パターンを通して治療位置間で増分的に走査されるため、各スポットにおけるマイクロパルスバースト間の熱緩和は、およそフレーム又は治療パターン横断速度まで増大する。この走査手技の便益としては：総治療時間の減少、熱緩和期間の増大、及び走査される治療領域又はパターンの視認性の向上が挙げられる。実施形態の説明を容易にするために、眼球組織をこれ以降網膜組織と呼ぶが、本明細書に記載の実施形態は眼の実質的にいずれの組織を治療するために使用してよいことを理解されたい。
【００６８】
走査手技の実施形態を更に例示するために、図１１Ａは、３行×３列に配列された９個の治療位置のアレイを備える治療パターンに対して実施される、マイクロパルス治療を図示している。この治療を実施するにあたって、治療ビームの走査は第１の治療位置１１０２ａにおいて開始され、治療用の光のマイクロパルスバーストは、治療ビームが第１の治療位置１１０２ａに固定されたままの状態で、第１の治療位置１１０２ａにＴuマイクロ秒だけ送達される。次に治療ビームは、第２の治療位置１１０２ｂに再位置決め又は走査１１０４される。治療ビームの移動の期間は約Ｔmマイクロ秒である。治療用の光のマイクロパルスバーストは、治療ビームが第２の治療位置１１０２ｂに固定されたままの状態で、第２の治療位置１１０２ｂにＴuマイクロ秒だけ送達される。次に治療ビームは、約Ｔmマイクロ秒の時間内に第３の治療位置に再位置決め又は走査１１０４される。このプロセスは、治療パターンの９個の治療位置全てに対して繰り返され、その後、約Ｔmマイクロ秒の時間内に、第１の治療位置へと戻る治療ビームの走査又は再位置決め１１０４が行われる。
【００６９】
このように、治療パターンの治療位置それぞれを通して治療ビームを増分的に走査し、治療用の光を治療パターンの治療位置それぞれに送達するステップは、フレーム又はサイクルを含む。図１１Ａは、第１のフレーム又はサイクル１１０６ａ、第２のフレーム又はサイクル１１０６ｂ、ｎ番目のフレーム又はサイクル１１０６ｃに対して治療が提供されていることを示す。いくつかの実施形態では、網膜治療プロセス全体は、網膜組織への１０〜１００００治療サイクルの送達を含んでよい。各フレームの走査は、治療パターンの９個の標的位置のそれぞれ又は殆どが、治療ビームによって患者の眼の眼球組織上に同時に照明されるよう、十分に短い期間で完了させてよい。従って、外科医の視点からは、９個の治療位置のアレイ（即ち治療パターン）は、患者の眼の眼球組織上で「律動する（ｐｕｌｓｅ）」ように見えてよい。換言すると、９個の治療パターンは、患者の眼の眼球組織上に同時に及び反復的に照明されるように見えてよい。このようにして、治療パターンは眼球組織上に「刻印された（ｓｔａｍｐｅｄ）」ように見えてよい。
【００７０】
単一の治療サイクルの治療時間（Ｔcycle）は、以下の等式：
Ｔcycle＝ｎ＊（Ｔu＋Ｔm）
によって推定でき、ここでｎは治療位置の個数、Ｔuはマイクロパルス時間又は期間、Ｔmはスポット間移動時間又は期間である。また、治療ビームは、第１の治療位置に戻る前に全治療パターンを通して増分的に走査されるため、治療時間Ｔcycleは、各治療位置に関する熱緩和時間に略等しい。全治療プロセスに関する総治療時間（Ｔ）は、以下の等式：
Ｔ＝Ｎburst＊Ｔcycle  即ち  Ｔ＝Ｎburst＊ｎ＊（Ｔu＋Ｔm）
によって推定でき、ここでＴcycleは単一のサイクルの治療時間、Ｎburstは、各治療位置において送達されることになるマイクロパルスバーストの数である（即ちこれは、全治療プロセス中のサイクルの数に等しい）。
【００７１】
他のマイクロパルス治療手技と比較して、上述の治療手技は、全体的な治療時間を有意に減少させる。例えば図１１Ｂは、治療ビームが第１の治療位置１１１２ａに位置決めされ、複数のマイクロパルスバースト（ｎ）が第１の治療位置１１１２ａに送達され、各バーストのパルス時間又は期間はＴuであり、間隔又は緩和時間はＴiである、マイクロパルス治療を図示する。複数のマイクロパルスバースト（ｎ）が送達された後、治療ビームは第２の治療位置１１１２ｂへ走査又は再位置決めされ、ここで複数のマイクロパルスバーストが送達される。このプロセスは、治療パターンの治療位置それぞれに関して繰り返される。
【００７２】
単一の治療位置に関する治療時間（Ｔpos）は、以下の等式：
Ｔpos＝Ｎburst＊（Ｔu＋Ｔi）
によって推定でき、ここでＮburstは、各治療位置において送達されることになるマイクロパルスバーストの数、Ｔuはマイクロパルスのパルス時間又は期間、Ｔiは緩和時間である。治療プロセス（Ｔ）に関する総治療時間（Ｔ）は、以下の等式：
Ｔ＝ｎ＊（Ｔpos＋Ｔm）  即ち  Ｔ＝ｎ＊（Ｎburst＊（Ｔu＋Ｔi）＋Ｔm）
によって推定でき、ここでＴposは単一の治療位置に関する治療時間、ｎは治療位置の個数、Ｔmはスポット間移動時間又は期間である。
【００７３】
後者のマイクロパルス手技（即ち別の治療位置に移動する前の、各治療位置におけるマイクロパルス光の送達）と比較した、前者のマイクロパルス手技（即ち増分的走査及びマイクロパルス送達）を使用する際の全体的な利得は、以下の等式：
Ｔformer＝Ｎburst＊ｎ＊（Ｔu＋Ｔm）  即ち  Ｔformer＝ｎＮburstＴu＋ｎＮburstＴm
Ｔlatter＝ｎ＊（Ｎburst＊（Ｔu＋Ｔi）＋Ｔm）  即ちＴlatter＝ｎＮburstＴu＋ｎＮburstＴi＋ｎＴm
を使用して推定でき、ここでＴformerは前者の手技の上述のような推定治療時間であり、Ｔlatterは後者の手技の上述のような推定治療時間である。
【００７４】
上述の等式から、治療時間の差は：
ｎＮburstＴi＋ｎＴm＞ｎＮburstＴm
又は共通の変数を消去して：
ＮburstＴi＋Ｔm＞ＮburstＴm
となる。おおよその性能比利得（Ｇ）は、以下の等式：
Ｇ＝Ｔi／Ｔm
を使用して推定できる。
【００７５】
要約すると、前者のマイクロパルス手技（即ち増分的走査及びマイクロパルス送達）は、他のマイクロパルス治療手技と比較して、治療時間において有意な利得を提供する。更に、迅速な走査運動及びマイクロパルス治療バーストの時間的短さという特徴によって、治療パターンの視認性（例えば治療パターンの大半又は全ての同時照明）が上昇する。送達されるエネルギは従来のマイクロパルス手技とおおよそ等しくなるが、緩和時間が長くなり、全体の治療時間が短くなる。殆どの治療は、全パターンが、その殆どが投射され連続的に又は同時に照明されたパターンとして現れるように、マイクロパルスバーストの全フレームを送達することになる。この投射されたパターンにより、医師は全走査領域を容易に治療できるようになる。
【００７６】
いくつかの実施形態では、照準ビームを本明細書に記載したように使用して、患者の眼の網膜組織上に治療パターンを画定してよい。このような様式の照準ビームの使用により、外科医が治療ビームで治療される領域を識別するのを助けることができる。いくつかの実施形態では、治療を提供する前にのみ照準ビームを使用して、網膜上に治療パターンを最初に画定してよい。他の実施形態では、治療ビームの操作中に照準ビームを点灯して、治療パターンを更に画定してよい。
【００７７】
図１１Ａは、マイクロパルス治療手技のために９個の治療スポットパターン又はアレイを使用することを示しているが、他の実施形態では、他の治療パターンを使用してよいことを理解されたい。図１２Ａ〜Ｈは、マイクロパルス治療を提供するにあたって使用できる他の治療パターン又は治療スポット配置を示す。図１２Ａ〜Ｈに図示されている各パターンに関して、図１１Ａ〜Ｃを参照して上述したような増分的走査マイクロパルス手技（即ち増分的走査及びマイクロパルス送達、これ以降、増分的走査マイクロパルス手技と呼ぶ）を、従来のマイクロパルス手技（即ち別の治療位置に移動する前の、各治療位置におけるマイクロパルス光の送達、これ以降、従来のマイクロパルス手技と呼ぶ）と比較する。この比較を行うにあたって、増分的走査マイクロパルス手技は、約１００μｓ（マイクロ秒）のパルス幅、及び各スポットへの１００回のマイクロパルスバーストの送達を有することになる。上述のように、各治療位置のオフ時間又は緩和時間は、全フレーム又は治療パターンを通した治療ビームの走査時間と略等しい。従来のマイクロパルス治療は同様に、オフ時間又は緩和時間が１９００μｓの約１００μｓのパルス幅、及び各スポットへの１００回のマイクロパルスバーストの送達を有することになる。パルス幅はおおよそ１００μｓであると考えられるものの、いくつかの実施形態では上記幅は５０〜１０００μｓで変化してよく、ただしより一般にはこの幅は５０〜２００μｓ又は５０〜１５０μｓで変化する。更に、図１１Ａ〜Ｃに関連して上述したように、図１２Ａ〜Ｈの治療パターン又は治療スポット配置それぞれにおいて、治療ビーム、又はより正確には治療ビームの軸は、各治療スポットへと増分的に移動して、治療ビームが点灯又は送達される際に各治療スポットに固定されてよい。続いて治療ビームは第１の位置へと移動してよく、プロセスは所望の回数だけ繰り返される。
【００７８】
図１２Ａは、４つの治療スポットのアレイ又はパターン（即ち２×２アレイ）の２Ｄ及び３Ｄ画像を示す。従来のマイクロパルス手技アプローチ及び上で仮定した値を用いると、手技の総治療時間はおおよそ８００ｍｓ（ミリ秒）となる。増分的走査マイクロパルス手技アプローチ及び上で仮定した値を用いると、手技の総治療時間はおおよそ２００ｍｓ、即ち従来のアプローチを用いた場合の時間のおおよそ１／４となる。増分的走査マイクロパルス手技に関するオフ時間又は緩和時間はおおよそ１９００μｓであり、即ち従来の手技を用いた場合のマイクロパルス間の緩和時間と略同一である。増分的走査マイクロパルス手技のデューティサイクルは約５％となる。増分的走査マイクロパルス手技は、マイクロパルス間のオフ時間又は緩和時間がおおよそ同一であるにもかかわらず、従来のマイクロパルス手技よりも遥かに短い治療時間を提供することが明らかである。
【００７９】
図１２Ｂは、９個の治療スポットのアレイ又はパターン（即ち３×３アレイ）の２Ｄ及び３Ｄ画像を示す。この治療パターンに関して、従来のマイクロパルス手技はおおよそ１８００ｍｓの総治療時間を提供する。これとは対照的に、この治療パターンに関して、増分的走査マイクロパルス手技はおおよそ４５０ｍｓの総治療時間、即ち従来のアプローチのおおよそ１／４の時間を提供する。増分的走査マイクロパルス手技のためのオフ時間又は緩和時間はおおよそ４４００μｓであり、これは従来の手技を用いた場合のマイクロパルス間の緩和時間の２倍を超える。増分的走査マイクロパルス手技のデューティサイクルは約２．２％である。より大きな治療パターン（即ちより多くの治療スポット）に関して議論するとより明らかになるように、より大きなパターンは典型的にはより長い緩和時間につながるものの、従来のマイクロパルス手技より大幅に迅速な治療手技時間が得られる。より長い緩和時間により、網膜組織を緩和させることができ、及び／又は網膜の温度を通常の、手技を行わない温度に近づけることができ、これは最適な治癒及び／又は治療応答を提供できる。更に、より短い治療時間は、患者にとっての傷害及び／又は不快感のリスクを低下させることもできる。
【００８０】
図１２Ｃは、１６個の治療スポットのアレイ又はパターン（即ち４×４アレイ）の２Ｄ及び３Ｄ画像を示す。この治療パターンに関して、従来のマイクロパルス手技はおおよそ３２００ｍｓの総治療時間を提供する。これとは対照的に、この治療パターンに関して、増分的走査マイクロパルス手技はおおよそ８００ｍｓの総治療時間、即ち従来のアプローチのおおよそ１／４の時間を提供する。増分的走査マイクロパルス手技のためのオフ時間又は緩和時間はおおよそ７９００μｓであり、これは従来の手技を用いた場合のマイクロパルスバースト間の緩和時間の略４倍である。増分的走査マイクロパルス手技のデューティサイクルは約１．２５％である。
【００８１】
図１２Ｄは、２５個の治療スポットのアレイ又はパターン（即ち５×５アレイ）の２Ｄ及び３Ｄ画像を示す。この治療パターンに関して、従来のマイクロパルス手技はおおよそ５０００ｍｓの総治療時間を提供する。これとは対照的に、この治療パターンに関して、増分的走査マイクロパルス手技はおおよそ１２５０ｍｓの総治療時間、即ち従来のアプローチのおおよそ１／４の時間を提供する。増分的走査マイクロパルス手技のためのオフ時間又は緩和時間はおおよそ１２４００μｓである。増分的走査マイクロパルス手技のデューティサイクルは約０．８％である。
【００８２】
図１２Ｅは、３６個の治療スポットのアレイ又はパターン（即ち６×６アレイ）の２Ｄ及び３Ｄ画像を示す。この治療パターンに関して、従来のマイクロパルス手技はおおよそ７２００ｍｓの総治療時間を提供する。これとは対照的に、この治療パターンに関して、増分的走査マイクロパルス手技はおおよそ１８００ｍｓの総治療時間、即ち従来のアプローチのおおよそ１／４の時間を提供する。増分的走査マイクロパルス手技のためのオフ時間又は緩和時間はおおよそ１７９００μｓである。増分的走査マイクロパルス手技のデューティサイクルは約０．５％である。
【００８３】
図１２Ｆは、４９個の治療スポットのアレイ又はパターン（即ち７×７アレイ）の２Ｄ及び３Ｄ画像を示す。この治療パターンに関して、従来のマイクロパルス手技はおおよそ９８００ｍｓの総治療時間を提供する。これとは対照的に、この治療パターンに関して、増分的走査マイクロパルス手技はおおよそ２４５０ｍｓの総治療時間、即ち従来のアプローチのおおよそ１／４の時間を提供する。増分的走査マイクロパルス手技のためのオフ時間又は緩和時間はおおよそ２４４００μｓである。増分的走査マイクロパルス手技のデューティサイクルは約０．４％である。
【００８４】
図１２Ｇは、４５°の３重の弧の配置を有する１２個の治療スポットのパターンの２Ｄ及び３Ｄ画像を示す。この治療パターンに関して、従来のマイクロパルス手技はおおよそ２４００ｍｓの総治療時間を提供する。これとは対照的に、この治療パターンに関して、増分的走査マイクロパルス手技はおおよそ６００ｍｓの総治療時間、即ち従来のアプローチのおおよそ１／４の時間を提供する。増分的走査マイクロパルス手技のためのオフ時間又は緩和時間はおおよそ５９００μｓである。増分的走査マイクロパルス手技のデューティサイクルは約１．６％である。
【００８５】
図１２Ｈは、円形の配置を有する１６個の治療スポットのパターンの２Ｄ及び３Ｄ画像を示す。この治療パターンに関して、従来のマイクロパルス手技はおおよそ３２００ｍｓの総治療時間を提供する。これとは対照的に、この治療パターンに関して、増分的走査マイクロパルス手技はおおよそ８００ｍｓの総治療時間、即ち従来のアプローチのおおよそ１／４の時間を提供する。増分的走査マイクロパルス手技のためのオフ時間又は緩和時間はおおよそ７９００μｓである。増分的走査マイクロパルス手技のデューティサイクルは約１．２５％である。上述の手技を実施している間、エネルギは網膜表面を横切るように、比較的波状の様式で流れることができる。
【００８６】
別の実施形態では、増分的走査マイクロパルス手技は上述のスポットパターンを使用してよく、かつ：約２００μｓのマイクロパルスパルス幅；３５０μｓのスポット間移動期間（即ち平均スポット間移動時間）；及び／又は各スポットへのマイクロパルスバーストの５０回の送達を含んでよい。上述のように、各治療位置のオフ時間又は緩和時間は、全フレーム又は治療パターンを通した治療ビームの走査時間と略等しくてよい。以下の表１は、増分的走査マイクロパルス手技に関して計算された様々な値（即ちＳＴＡＭＰ時間）を提供し、またこれらの計算された値を、同様の治療パラメータを有する従来のマイクロパルス手技（即ち従来の時間）と比較する。
【００８７】
【表１】
2016517736.tif 000003
【００８８】
表１に示すように、より長いマイクロパルスパルス幅を有する増分的走査マイクロパルス手技に関する手技時間は、既に記載した値よりも僅かに高いが、有意に高くはない。しかしながらこの手技に関して、デューティサイクルは顕著に高い。表１はまた、オフ時間又は緩和時間がフレーム時間（即ち治療ビームが治療パターン全体を走査するのにかかる時間）と本質的に等しいことも示す。これらの時間は約２００μｓだけ変化し、これは予測されるように、マイクロパルスパルス幅に対応する。しかしながら治療時間は、従来のマイクロパルス治療によって提供されるものよりも明らかに低いままである。
【００８９】
いくつかの実施形態では、マイクロパルス治療のデューティサイクルは、治療される状態に応じて変化し得る。例えば典型的な網膜に関する手技では、デューティサイクルは約１０％以下であってよいが、５％以下のデューティサイクルがより一般的である。緑内障に関する手技では、デューティサイクルは約１５％〜３１％となり得る。毛様体扁平部に関する手技では、デューティサイクルは約３１％となり得る。実施される手技に応じて、又は１つ若しくは複数の他の条件に応じて、他のデューティサイクルを使用してよい。例えば、本明細書に記載の方法及びシステムと共に、ある範囲のデューティサイクルを使用してよい。デューティサイクルの範囲は０．４〜３５％を含んでよいが、５〜１５％の範囲がより一般的である。
【００９０】
本明細書に記載のシステムを用いて、増分的走査マイクロパルス手技を提供してよい。例えば一実施形態では、システムは：治療ビーム経路に沿って治療ビームを伝導するよう構成された治療ビーム源；治療ビーム経路に沿って配置され、患者の眼の網膜に沿って治療ビームを走査するよう構成された、走査デバイス；及び走査デバイスに連結されたプロセッサを含んでよい。プロセッサは（例えばメモリデバイスに記憶された命令によって）：Ａ）治療ビームのために、網膜に対する複数の標的位置を画定するステップ；Ｂ）治療ビームが関連位置に固定されている際に、治療ビームからのパルスを、複数の標的位置それぞれにおいて網膜上に送達するステップ；Ｃ）複数の標的位置の間で治療ビームを増分的に走査するステップ；並びにＤ）複数の標的位置それぞれにおいて治療ビームからの複数の追加のパルスを送達するために、ステップＢ）及びＣ）を反復するステップを実行するよう構成又は命令されてよい。複数の標的位置は、第１の位置、第２の位置、複数の中間位置を含んでよく、治療ビームは第１の位置と第２の位置との間で走査されてよい。
【００９１】
別の実施形態では、システムは：治療ビーム経路に沿って治療ビームを伝導するよう構成された治療ビーム源；治療ビーム経路に沿って配置され、患者の眼の網膜に沿って治療ビームを走査するよう構成された、走査デバイス；及び走査デバイスに連結されたプロセッサを含んでよい。プロセッサは（例えばメモリデバイスに記憶された命令によって）：Ａ）治療ビームのために、網膜に対する複数の標的位置を画定するステップであって、上記標的位置は第１の位置、第２の位置及び複数の中間位置を含む、ステップ；Ｂ）治療ビームからのパルスを、複数の標的位置それぞれにおいて網膜上に送達するステップ；Ｃ）複数の標的位置を送達されたビームで同時に照明するために、第１の位置と第２の位置との間の複数の標的位置の間でビームを増分的に走査するステップ；並びにＤ）複数の標的位置それぞれにおいて治療ビームからの複数の追加のパルスを送達するために、ステップＢ）及びＣ）を反復するステップを実行するよう構成又は命令されてよい。本明細書に記載されているように、各パルスの幅は、網膜の従来の光凝固の誘発を回避しながら、各標的位置に配向されるパルスの総数を、上記位置において治療的治癒の光活性化を誘発するのに十分なものとすることができる程度に、十分に短いものであってよい。
【００９２】
本明細書に記載するように、いくつかの実施形態では、本システムは、照準ビーム経路に沿って照準ビームを伝導するよう構成された照準ビーム源も含んでよい。このような実施形態では、走査デバイスは、照準ビームを網膜に沿って走査することによって、網膜上の複数の標的位置を画定してよい。プロセッサは更に、約１０〜約１００００サイクルのマイクロパルス治療を提供するよう構成してよい。走査デバイス及び／又は治療若しくは照準ビーム源は、アダプタデバイス内に配置してよく、このアダプタデバイスは、眼科的測定機器と着脱可能に連結でき、また光ビーム源と光学的に連結できる。
【００９３】
いくつかの実施形態では、外科医が図３、４Ａ〜Ｃに示すような制御ユニットに入力してよい入力は：電力設定；デューティサイクル選択；治療期間；治療パターンの選択又は入力等を含んでよい。制御ユニットは、外科医が入力したパラメータに基づいて、必要な１つ又は複数の他のパラメータを計算してよい。
【００９４】
いくつかの実施形態を説明したが、本発明の精神から逸脱することなく様々な修正、代替構成及び均等物を使用してよいことは、当業者であれば理解できるであろう。更に、本発明を不必要に不明瞭にするのを回避するために、多数の公知のプロセス及び要素については説明しなかった。従って以上の説明は、本発明の範囲を限定するものと解してはならない。
【００９５】
値の範囲が提供されている場合、これは、文脈によってそうでないことが明確に規定されていない限り、その範囲の上限と下限との間の中間値も、下限の単位の小数点以下第１位まで具体的に開示されているものとして理解される。言明されている範囲内のいずれの言明されている値又は中間値と、上記言明されている範囲内の他のいずれの言明されている値又は中間値との間の、より狭い範囲もそれぞれ包含される。これらのより狭い範囲の限界値は、独立して上記範囲内に含まれても含まれなくてもよく、また、言明されている範囲内の具体的に排除されるいずれの限界値に応じて、上限及び下限の一方が含まれる、いずれも含まれない、又は両方が含まれる各範囲もまた本発明に包含される。言明されている範囲が限界値のうちの一方又は両方を含む場合、これら含まれた限界値のうちのいずれか一方又は両方を排除した範囲もまた含まれる。
【００９６】
本明細書及び添付の請求項において使用される単数形「ある（ａ、ａｎ）」及び「上記（ｔｈｅ）」は、文脈によってそうでないことが明確に規定されていない限り、複数の指示物を含む。従って例えば「あるプロセス（ａ  ｐｒｏｃｅｓｓ）」に関する言及は、複数のこのようなプロセスを含み、「上記デバイス（ｔｈｅ  ｄｅｖｉｃｅ）」に関する言及は、１つ又は複数のデバイス及び当業者に公知のその均等物等を含む。
【００９７】
また、単語「備える（ｃｏｍｐｒｉｓｅ）」、「備える（ｃｏｍｐｒｉｓｉｎｇ）」、「含む（ｉｎｃｌｕｄｅ）」、「含む（ｉｎｃｌｕｄｉｎｇ）」、「含む（ｉｎｃｌｕｄｅｓ）」は、本明細書及び添付の請求項において使用される場合、言明されている特徴部分、整数、構成部品又はステップの存在を明示することを意図しているが、１つ又は複数の他の特徴部分、整数、構成部品、ステップ、動作又は群の存在又は追加を排除するものではない。
【図１Ａ】
2016517736.tif 000004
【図１Ｂ】
2016517736.tif 000005
【図１Ｃ】
2016517736.tif 000006
【図１Ｄ】
2016517736.tif 000007
【図１Ｅ】
2016517736.tif 000008
【図１Ｆ】
2016517736.tif 000009
【図１Ｇ】
2016517736.tif 000010
【図２Ａ】
2016517736.tif 000011
【図２Ｂ】
2016517736.tif 000012
【図２Ｃ】
2016517736.tif 000013
【図２Ｄ】
2016517736.tif 000014
【図２Ｅ】
2016517736.tif 000015
【図３】
2016517736.tif 000016
【図４】
2016517736.tif 000017
【図５Ａ】
2016517736.tif 000018
【図５Ｂ】
2016517736.tif 000019
【図５Ｃ】
2016517736.tif 000020
【図５Ｄ】
2016517736.tif 000021
【図５Ｅ】
2016517736.tif 000022
【図５Ｆ】
2016517736.tif 000023
【図６Ａ】
2016517736.tif 000024
【図６Ｂ】
2016517736.tif 000025
【図６Ｃ】
2016517736.tif 000026
【図６Ｄ】
2016517736.tif 000027
【図６Ｅ】
2016517736.tif 000028
【図６Ｆ】
2016517736.tif 000029
【図７Ａ】
2016517736.tif 000030
【図７Ｂ】
2016517736.tif 000031
【図７Ｃ】
2016517736.tif 000032
【図７Ｄ】
2016517736.tif 000033
【図７Ｅ】
2016517736.tif 000034
【図７Ｆ】
2016517736.tif 000035
【図８】
2016517736.tif 000036
【図９Ａ】
2016517736.tif 000037
【図９Ｂ】
2016517736.tif 000038
【図９Ｃ】
2016517736.tif 000039
【図１０Ａ】
2016517736.tif 000040
【図１０Ｂ】
2016517736.tif 000041
【図１０Ｃ】
2016517736.tif 000042
【図１１Ａ】
2016517736.tif 000043
【図１１Ｂ】
2016517736.tif 000044
【図１２Ａ】
2016517736.tif 000045
【図１２Ｂ】
2016517736.tif 000046
【図１２Ｃ】
2016517736.tif 000047
【図１２Ｄ】
2016517736.tif 000048
【図１２Ｅ】
2016517736.tif 000049
【図１２Ｆ】
2016517736.tif 000050
【図１２Ｇ】
2016517736.tif 000051
【図１２Ｈ】
2016517736.tif 000052
【手続補正書】
【提出日】平成27年2月18日(2015.2.18)
【手続補正１】
【補正対象書類名】明細書
【補正対象項目名】全文
【補正方法】変更
【補正の内容】
【発明の詳細な説明】
【技術分野】
【０００１】
関連出願の相互参照
本出願は、２０１３年４月１８日出願の米国特許出願第６１／８１３５８５号に対する優先権を主張する。本出願はまた、２０１１年１０月１９日出願の米国仮特許出願第６１／５４９０３６号「Ｇｒｉｄ  Ｐａｔｔｅｒｎ  Ｔｈｅｒａｐｅｕｔｉｃ  Ｔｒｅａｔｍｅｎｔ」に対する優先権を主張する、２０１２年１０月１９日出願の米国特許出願第１３／６５６３３２号「Ｓｈｏｒｔ  Ｄｕｒａｔｉｏｎ  Ｐｕｌｓｅ  Ｇｒｉｄ  Ｐａｔｔｅｒｎ  Ｌａｓｅｒ  Ｔｒｅａｔｍｅｎｔ  ａｎｄ  Ｍｅｔｈｏｄｓ」の一部継続出願でもあり、これらの出願の開示全体は、参照により、あらゆる目的のために、本出願に完全に記載されているかのように本出願に援用される。
【背景技術】
【０００２】
治療用レーザはしばしば、眼の様々な状態の治療に使用される。例えば、このようなレーザを用いて治療できる具体的な状態のタイプは、糖尿病網膜症である。糖尿病網膜症は、糖尿病の合併症によるものである網膜への損傷である。糖尿病網膜症は、治療しないままにすると最終的に失明につながり得る。糖尿病網膜症は典型的には、微小血管性の網膜の変化によるものである。例えば糖尿病によって誘発される影響は眼の組織を損傷する場合があり、これは血液網膜関門の形成を変化させて、網膜血管の透過性を上昇させる場合がある。このような状態の治療において、１つ又は複数の光ビームを眼の中及び／又は網膜組織上に配向して、組織の光凝固を引き起こし、これによって眼血管を微細に焼灼し、及び／又は血管成長を防止して、様々な治療上の便益を誘発してよい。レーザ光凝固は、網膜症の初期段階のために一般に使用される。
【０００３】
しかしながら、レーザ光凝固治療の提供において、眼窩、黄斑といった眼の感受性組織の損傷を回避することが重要である。特定の例では、これらの領域のうちの１つ又は複数に対する損傷を確実に回避しながら、上記領域の付近の組織を治療することが望まれる場合がある。従来のレーザ光凝固技術では、上述のような感受性組織に対する損傷を確実に回避するか又は確実に大幅に低減しながら、上記組織の付近の領域を治療するための、最適な解決策は提供されない。従って、糖尿病網膜症といった眼の様々な状態を治療するための、改良されたレーザ光凝固法に対して、当該技術分野において需要がある。
【発明の概要】
【課題を解決するための手段】
【０００４】
本明細書に記載の本発明の実施形態は、患者の眼球組織及び／又は他の領域を治療するためのシステム及び方法を提供する。手技は、１つ又は複数の光ビーム（例えばレーザ）を用いて光凝固を発生させ、これによって眼血管を微細に焼灼し、及び／又は血管成長を防止して、様々な治療上の便益を誘発することを伴ってよい。このような手技を用いて、糖尿病網膜症、黄斑浮腫及び／又は眼の他の状態を治療し得る。一態様によると、患者の眼を治療するための方法が提供される。この方法は、治療ビームのための複数の標的位置を画定するステップを含んでよい。複数の標的位置は、第１の位置、第２の位置、複数の中間位置を含んでよい。各標的位置は、患者の眼の眼球組織を治療するための治療部位に対応してよい。本方法はまた、複数の標的位置それぞれにおいて眼球組織に治療ビームからの第１のパルスを送達するステップ、及び各第１のパルスの送達中にビームが固定されるように、複数の治療位置間で増分的に治療ビームを走査するステップを含んでよい。本方法は更に、治療ビームが第１の位置と第２の位置との間で追加の回数だけそれぞれ増分的に走査される際に、複数の治療位置それぞれにおいて眼球組織に治療ビームからの追加の個数のパルスを送達して、眼球組織の追加の治療を提供するステップを含んでよい。各パルスの幅は、眼球組織の従来の光凝固の誘発を回避しながら、各標的位置に配向されるパルスの総数を、上記位置において治療的治癒反応の光活性化を誘発するのに十分なものとすることができる程度に、十分に短いものであってよい。
【０００５】
本方法は更に、眼球組織上の複数の標的位置を画定するために眼球組織上に照準ビームを配向するステップを含んでよい。各標的位置に送達されるパルス間の時間間隔は、第１の位置から第２の位置までの治療ビームの走査の期間と略等しくてよい。このような実施形態では、上記時間間隔は、標的位置の総数と、各パルスの平均幅と、隣接する標的位置間の治療ビームの移動の平均期間との積であってよい。上記時間間隔は約１９００マイクロ秒超であってよい。
【０００６】
いくつかの実施形態では、各標的位置における治療ビームに関するデューティサイクルは、約９％以下であってよいが、使用されるデューティサイクルは、実施される具体的な治療に応じて変化してよく、約５％以下のデューティサイクルがより一般的である。いくつかの実施形態では、治療ビームが複数の治療位置間で増分的に走査される際のパルスの各送達は、治療サイクルを含んでよく、また本方法は更に、眼の眼球組織を治療するために約１０〜約１００００の治療サイクルを提供するステップを含んでよい。あるサイクル中の各パルスは、眼球組織上に標的位置の視覚的パターンを提供できるよう、各標的位置に十分に短い幅で送達されてよい。各パルスの幅は約５０〜１５０マイクロ秒であってよい。
【０００７】
別の態様によると、患者の眼に治療処置を提供するためのシステムは：治療ビーム経路に沿って治療ビームを伝導するよう構成された治療ビーム源；治療ビーム経路に沿って配置され、患者の眼の眼球組織に沿って治療ビームを走査するよう構成された、走査デバイス；及び走査デバイスに連結されたプロセッサを含んでよい。プロセッサは（例えばメモリデバイスに記憶された命令によって）：Ａ）治療ビームのために、眼球組織に対する複数の標的位置を画定するステップ；Ｂ）治療ビームが関連位置に固定されている際に、治療ビームからのパルスを、複数の標的位置それぞれにおいて眼球組織上に送達するステップ；Ｃ）複数の標的位置の間で治療ビームを増分的に走査するステップ；並びにＤ）複数の標的位置それぞれにおいて治療ビームからの複数の追加のパルスを送達するために、ステップＢ）及びＣ）を反復するステップを実行するよう構成又は命令されてよい。複数の標的位置は、第１の位置、第２の位置、複数の中間位置を含んでよく、治療ビームは第１の位置と第２の位置との間で走査されてよい。各パルスの幅は、眼球組織の従来の光凝固の誘発を回避しながら、各標的位置に配向されるパルスの総数を、上記位置において治療的治癒の光活性化を誘発するのに十分なものとすることができる程度に、十分に短いものであってよい。
【０００８】
本明細書に記載するように、いくつかの実施形態では、本システムは、照準ビーム経路に沿って照準ビームを伝導するよう構成された照準ビーム源を含んでよい。このような実施形態では、走査デバイスは、照準ビームを眼球組織に沿って走査することによって、眼球組織上の複数の標的位置を画定してよい。各標的位置に送達されるパルス間の時間間隔は、第１の位置と第２の位置との間の複数の標的位置の間の治療ビームの増分的な走査の期間と略等しくてよい。プロセッサは更に、約１０〜約１００００サイクルの短幅パルス治療を提供するよう構成してよい。走査デバイス及び／又は治療若しくは照準ビーム源は、アダプタデバイス内に配置してよく、このアダプタデバイスは、眼科的測定機器と着脱可能に連結でき、また光ビーム源と光学的に連結できる。
【０００９】
別の実施形態では、患者の眼に治療処置を提供するためのシステムは：治療ビーム経路に沿って治療ビームを伝導するよう構成された治療ビーム源；治療ビーム経路に沿って配置され、患者の眼の眼球組織に沿って治療ビームを走査するよう構成された、走査デバイス；及び走査デバイスに連結されたプロセッサを含んでよい。プロセッサは（例えばメモリデバイスに記憶された命令によって）：Ａ）治療ビームのために、眼球組織に対する複数の標的位置を画定するステップであって、上記標的位置は第１の位置、第２の位置及び複数の中間位置を含む、ステップ；Ｂ）治療ビームからのパルスを、複数の標的位置それぞれにおいて眼球組織上に送達するステップ；Ｃ）複数の標的位置をビームで同時に照明するために、第１の位置と第２の位置との間の複数の標的位置の間でビームを増分的に走査するステップ；並びにＤ）複数の標的位置それぞれにおいて治療ビームからの複数の追加のパルスを送達して、複数の標的位置をビームで同時に照明するために、ステップＢ）及びＣ）を反復するステップを実行するよう構成又は命令されてよい。本明細書に記載されているように、各パルスの幅は、眼球組織の従来の光凝固の誘発を回避しながら、各標的位置に配向されるパルスの総数を、上記位置において治療的治癒の光活性化を誘発するのに十分なものとすることができる程度に、十分に短いものであってよい。
【００１０】
添付の図面と併せて本発明を説明する。
【図面の簡単な説明】
【００１１】
【図１Ａ】図１Ａは、眼科撮像機器が境界画定型治療処置を提供できるようにするために上記眼科撮像機器に連結してよいアダプタの斜視図である。
【図１Ｂ】図１Ｂは、眼科撮像機器が境界画定型治療処置を提供できるようにするために上記眼科撮像機器に連結してよいアダプタの斜視図である。
【図１Ｃ】図１Ｃは、眼科撮像機器が境界画定型治療処置を提供できるようにするために上記眼科撮像機器に連結してよいアダプタの斜視図である。
【図１Ｄ】図１Ｄは、眼科撮像機器が境界画定型治療処置を提供できるようにするために上記眼科撮像機器に連結してよいアダプタの斜視図である。
【図１Ｅ】図１Ｅは、眼科撮像機器が境界画定型治療処置を提供できるようにするために上記眼科撮像機器に連結してよいアダプタの斜視図である。
【図１Ｆ】図１Ｆは、眼科撮像機器が境界画定型治療処置を提供できるようにするために上記眼科撮像機器に連結してよいアダプタの斜視図である。
【図１Ｇ】図１Ｇは、眼科撮像機器が境界画定型治療処置を提供できるようにするために上記眼科撮像機器に連結してよいアダプタの斜視図である。
【図２Ａ】図２Ａは、眼科撮像機器に連結された図１Ａ〜１Ｇのアダプタの図である。
【図２Ｂ】図２Ｂは、眼科撮像機器に連結された図１Ａ〜１Ｇのアダプタの図である。
【図２Ｃ】図２Ｃは、眼科撮像機器に連結された図１Ａ〜１Ｇのアダプタの図である。
【図２Ｄ】図２Ｄは、眼科撮像機器に連結された図１Ａ〜１Ｇのアダプタの図である。
【図２Ｅ】図２Ｅは、眼科撮像機器に連結された図１Ａ〜１Ｇのアダプタの図である。
【図３】図３は、本発明のある実施形態による、治療処置を提供するためのシステムのブロック図である。
【図４】図４Ａ、図４Ｂ、図４Ｃは、図３のシステムと共に使用してよいディスプレイインタフェースのブロック図である。
【図５Ａ】図５Ａは、境界画定型治療処置のために使用してよい治療境界を示す。
【図５Ｂ】図５Ｂは、境界画定型治療処置のために使用してよい治療パターンを示す。
【図５Ｃ】図５Ｃは、境界画定型治療処置のために使用してよい治療パターンを示す。
【図５Ｄ】図５Ｄは、境界画定型治療処置のために使用してよい治療パターンを示す。
【図５Ｅ】図５Ｅは、境界画定型治療処置のために使用してよい治療パターンを示す。
【図５Ｆ】図５Ｆは、境界画定型治療処置のために使用してよい治療パターンを示す。
【図６Ａ】図６Ａは、図５Ａの治療境界内に送達されるレーザ光を示す。
【図６Ｂ】図６Ｂは、図５Ｂの治療パターンに対して送達されるレーザ光を示す。
【図６Ｃ】図６Ｃは、図５Ｃの治療パターンに対して送達されるレーザ光を示す。
【図６Ｄ】図６Ｄは、図５Ｄの治療パターンに対して送達されるレーザ光を示す。
【図６Ｅ】図６Ｅは、図５Ｅの治療パターンに対して送達されるレーザ光を示す。
【図６Ｆ】図６Ｆは、図５Ｆの治療パターンに対して送達されるレーザ光を示す。
【図７Ａ】図７Ａは、ある治療パターン内にレーザ光を順次送達するプロセスを示す。
【図７Ｂ】図７Ｂは、ある治療パターン内にレーザ光を順次送達するプロセスを示す。
【図７Ｃ】図７Ｃは、ある治療パターン内にレーザ光を順次送達するプロセスを示す。
【図７Ｄ】図７Ｄは、ある治療パターン内にレーザ光を順次送達するプロセスを示す。
【図７Ｅ】図７Ｅは、ある治療パターン内にレーザ光を順次送達するプロセスを示す。
【図７Ｆ】図７Ｆは、ある治療パターン内にレーザ光を順次送達するプロセスを示す。
【図８】図８は、患者の網膜の特徴部分又は組織に隣接して位置決めされた治療パターンを示す。
【図９Ａ】図９Ａは、治療手技中に治療レーザの連続的な移動を補償するために使用できる、治療レーザの横長楕円形プロファイルを示す。
【図９Ｂ】図９Ｂは、治療手技中に治療レーザの連続的な移動を補償するために使用できる、治療レーザの縦長楕円形プロファイルを示す。
【図９Ｃ】図９Ｃは、治療手技中に治療レーザの連続的な移動を補償するために使用できる、治療レーザの縦長楕円形プロファイルを示す。
【図１０Ａ】図１０Ａは、治療処置手技において使用され得る網膜画像を示す。
【図１０Ｂ】図１０Ｂは、治療処置手技において使用され得るプロファイルを示す。
【図１０Ｃ】図１０Ｃは、治療処置手技において使用され得るマップを示す。
【図１１Ａ】図１１Ａは、３行×３列に配列された９個の治療位置のアレイを備える治療パターンに対して実施される、短幅パルス治療の図である。
【図１１Ｂ】図１１Ｂは、３行×３列に配列された９個の治療位置のアレイを備える治療パターンに対して実施される、短幅パルス治療の図である。
【図１２Ａ】図１２Ａは、短幅パルス治療を提供する際に使用できる、他の治療パターン又は治療スポット配置を示す。
【図１２Ｂ】図１２Ｂは、短幅パルス治療を提供する際に使用できる、他の治療パターン又は治療スポット配置を示す。
【図１２Ｃ】図１２Ｃは、短幅パルス治療を提供する際に使用できる、他の治療パターン又は治療スポット配置を示す。
【図１２Ｄ】図１２Ｄは、短幅パルス治療を提供する際に使用できる、他の治療パターン又は治療スポット配置を示す。
【図１２Ｅ】図１２Ｅは、短幅パルス治療を提供する際に使用できる、他の治療パターン又は治療スポット配置を示す。
【図１２Ｆ】図１２Ｆは、短幅パルス治療を提供する際に使用できる、他の治療パターン又は治療スポット配置を示す。
【図１２Ｇ】図１２Ｇは、短幅パルス治療を提供する際に使用できる、他の治療パターン又は治療スポット配置を示す。
【図１２Ｈ】図１２Ｈは、短幅パルス治療を提供する際に使用できる、他の治療パターン又は治療スポット配置を示す。
【発明を実施するための形態】
【００１２】
添付の図面において、同様の構成部品及び／又は特徴部分は同様の参照符号標識を有してよい。更に、同一のタイプの様々な構成部品は、複数の同様の構成部品及び／又は特徴部分を区別する文字を参照符号の後に付けることによって区別され得る。第１の参照符号標識のみを本明細書において使用する場合、その説明は、添字に関係なく、同一の第１の参照符号標識を有する複数の同様の構成部品及び／又は特徴部分のいずれの１つに対して適用可能である。
【００１３】
以下の確実な説明は単に例示的な実施形態を提供するものであり、本開示の範囲、適用可能性又は構成を制限することを意図したものではない。寧ろ例示的実施形態の確実な説明は、当業者に、１つ又は複数の例示的実施形態を実装することを可能にする説明を提供する。添付の請求項に記載されているような本発明の精神及び範囲から逸脱することなく、機能及び要素の配置に様々な変更を加えてよいことを理解されたい。
【００１４】
本発明の実施形態は、患者の眼の網膜及び／又は他の領域を治療するためのシステム及び方法を提供する。手技は、１つ又は複数の光ビーム（例えばレーザ）を用いて光凝固を発生させ、これによって眼血管を微細に焼灼し、及び／又は血管成長を防止して、様々な治療上の便益を誘発することを伴ってよい。このような手技を用いて、糖尿病網膜症、黄斑浮腫及び／又は眼の他の状態を治療し得る。いくつかの実施形態では、光凝固は、網膜に現れる一連の複数の視認可能なスポットを発生させる場合がある。他の実施形態では、一連の短幅光パルス（例えば５〜１５マイクロ秒）は、標的網膜組織の温度上昇を制限することによって網膜色素上皮層のみに熱的影響を制限するための各パルス間の熱緩和時間遅延を伴って、網膜組織に送達されてよい。Ｉｒｉｄｅｘ（登録商標）  Ｃｏｒｐｏｒａｔｉｏｎが販売しているシステム及びデバイスのＭｉｃｒｏＰｕｌｓｅ（商標）レーザ治療といった、短幅パルス治療は、網膜上に現れる視認可能なスポットを発生させず、結果として発生する全体としての組織の損傷が少なくなり得る。
【００１５】
網膜組織を治療する及び／又は凝固させるために送達される治療光（即ちレーザ光）は、循環する幾何学的形状のパターンを含み得る所定の治療境界内に、治療レベルで送達され得る。治療境界は、その中に治療レベルの治療光が配向され、その外側には治療光が実質的に配向されないか、又は反射光、入射光等の場合等のように副治療レベルで提供される、領域を画定してよい。従って治療境界は、その中では治療処置が提供され、その外側では治療処置が提供されないか又は最小限しか提供されない、領域を画定してよい。治療境界及び／又はパターンは、治療するべき領域を表示するために、患者の眼の網膜表面上に投射及び／又は画定してよい。治療境界は、治療処置を受けないか又は最小限しか受けない網膜の領域を画定又は区別できるため、治療境界の周縁部は、網膜の感受性組織及び／又は治療処置が望まれていないいずれの部分に隣接して位置決めされてよく、これにより、感受性組織又は領域が治療処置を受けない又は最小限しか受けないことを保証する。屈折、光の散乱等によって治療境界の外側の組織にある程度の治療光が入射し得るものの、このような光は最小限であり、治療境界の外側の組織に対して最小限の影響しか有しないことを理解されたい。従って本発明の実施形態は、治療処置を受けることになる網膜の領域と、治療処置を受けない領域とを決定するための、正確な制御を提供する。
【００１６】
治療境界の周縁部は、治療境界のそれ以外の部分に沿っており、網膜のマップ若しくは画像及び／又は網膜自体を画定してユーザインタフェース上に表示してよく、これによって、治療処置を提供する外科医又はユーザが、治療領域の外部境界に気付くことができる。治療領域の外部境界が表示されるため、外科医は、感受性組織又は他の領域を治療しないか又は最小限しか治療しないことを保証しながら、感受性組織及び／又は他のいずれの領域に近接して治療領域を当接させる又は配置することができる。
【００１７】
いくつかの実施形態では、治療パターンは、取り囲まれた境界又はパターンの代わりに、又はこれらに加えて、複数の照準スポットのアレイを含む。照準スポットのアレイは、本明細書に記載されているように患者の網膜上に画定してよく、治療ビームは、照準スポットのうちの１つ又は複数に対して同軸に点灯又は送達してよい。
【００１８】
治療境界及び／又は治療パターンは、１つ又は複数の照準ビームを用いて、網膜表面上に画定及び／又は投射してよい。照準ビームは、レーザビーム又は他のいずれのタイプの光ビーム（例えば高出力発光ダイオード（ＬＥＤ）によって生成されたビーム）であってよい。本明細書では照準ビームを一般に照準レーザと呼んでよいが、レーザ以外の光ビームを使用してよいことを理解されたい。照準ビームは、網膜組織を損傷しない低強度レーザ光ビームであってよい。いくつかの実施形態では、照準ビームの波長は約６００ｎｍ（ナノメートル）〜約７００ｎｍであり、より一般には約６５０ｎｍである。照準ビームはレーザダイオードによって提供してよく、網膜組織上に、網膜組織を治療するために使用される治療レーザの入射スポットよりも実質的に小さい入射スポット又は断面を有してよい。あるいはいくつかの実施形態では、照準レーザの代わりに又は照準レーザに加えて、照準ビームを高出力発光ダイオード（ＬＥＤ）によって提供してよい。照準ビームは患者の網膜上又はディスプレイインタフェース若しくは網膜の画像で走査されてよく、これによって治療境界及び／又はパターンをトレースするか又はその輪郭を描画して、治療境界及び／又はパターンを外科医に対して視覚的に表示する。網膜表面上に画定又は投射された治療境界及び／又はパターンは、カメラによってキャプチャして、ディスプレイインタフェース上で外科医又は他のユーザに対して表示してよい。
【００１９】
１つ又は複数の治療ビームパルス又は照射量を、網膜組織を治療するために、治療境界及び／又はパターン内に送達してよい。本明細書では治療ビームを一般に治療レーザと呼んでよいが、照準ビームと同様に、高出力発光ダイオード（ＬＥＤ）からの高強度光ビームといった他の光ビームを使用してよいことを理解されたい。治療パルス又は照射量は、走査デバイスが治療境界内において治療ビームの軸を連続的に走査している際に送達してよく、及び／又は走査デバイスが治療境界内において複数の特定の位置間で治療ビームの軸を順次移動させる際に送達してよい。循環する幾何学的形状を有する治療パターンを伴う実施形態では、１つ又は複数の治療ビームパルスを、上記複数の幾何学的形状のうちのいくつか又はそれぞれの中で送達してよい。ある具体的実施形態では、単一の治療ビームパルスを、上記幾何学的形状それぞれの概ね幾何学的中心において送達してよい。入射ビーム光の断面（例えばレーザビームスポット）は、上記幾何学的形状と概ね同一のサイズであってよい。いくつかの実施形態では、治療ビーム（例えばレーザビーム）の波長は約４００ｎｍ〜約６００ｎｍであってよく、より一般には約５２０ｎｍ〜５６０ｎｍであってよい。
【００２０】
治療処置（境界画定型治療処置とも呼ばれる）は、スリットランプ等の眼科撮像機器上に設置されて上記眼科撮像機器と共に動作するよう構成されたアダプタによって提供してよい。このアダプタは、レーザ送達機器といった既存の治療ビーム源と共にも動作してよい。外部コントローラ又はコンピュータシステムは、アダプタ及びレーザ送達機器と通信可能に連結されてよく、これによって網膜組織上に治療境界及び／又はパターンを画定して、上記治療境界／パターン内に治療ビームを送達する。アダプタ及び／又はコントローラにより、既存のスリットランプ及びレーザ送達機器は、上記アダプタ及び／又はコントローラがなければスリットランプ及びレーザ送達機器が送達できない、本明細書に記載の境界画定型治療処置を提供できる。
【００２１】
本発明の実施形態はまた、網膜撮像及び／又はトラッキングを用いて本明細書に記載の治療処置（例えば境界画定型治療処置）又は別の治療処置を提供する方法及びシステムを記載している。治療処置及び／又は治療境界は、患者の網膜の網膜画像又はモデルに対してプログラム及び／又は記録してよい。治療処置を実施するシステムは、網膜画像又はモデル及びプログラムされた治療処置又は治療境界を参照して、治療処置を提供するために患者の網膜の位置又は領域を決定してよい。続いてこのシステムは、治療処置を自動的に開始するか、又は調査、調整及び／若しくは処置続行の認証のために、治療境界／パターン及び対応する網膜治療領域を外科医に対して表示してよい。システムが、現在の又は過去の治療が完了した後すぐに、追加の治療処置を迅速かつ便利に実施し始めることができるように、複数のこのような治療処置をシステムにプログラムしてよい。提供される治療は、外科医又はユーザによる同時の又は後の検討のために、網膜画像又はモデルに対して記録してよい。例えば、あるパルス又はある照射量の治療ビームを受ける各位置に関して、網膜画像上に治療スポット又は他の印を重畳してよい。重畳されたスポット又は印は、治療処置が提供された網膜の領域の記録であってよい。これは、短幅パルス手技において等、治療処置の視認可能な影響が網膜組織上に存在しない場合に特に有用であり得る。
【００２２】
網膜画像又はモデルに対して治療処置及び／又は治療境界手技を参照することにより、システムが手技中に患者の目の運動を補償できるようにしてもよい。例えば網膜のトラッキングにより、網膜の実質的になめらかな画像をカメラがキャプチャできるようにしてよく、及び／又はシステムを患者の眼の運動に対して調整して、治療処置を実質的に同一の位置に送達し続けることができるようにしてよい。本発明のいくつかの実施形態を簡単に説明してきたが、図面を参照することにより、追加の態様が明らかになるであろう。
【００２３】
治療処置ハードウェア及び構成部品の実施形態
図１Ａ〜１Ｇは、スリットランプ等の眼科撮像機器と連結することによって、本明細書に記載の境界画定型治療処置を提供できるように眼科撮像機器を適合させることができる、アダプタの実施形態の斜視図である。図２Ａ〜２Ｅは、スリットランプ２００と連結されたアダプタ１００を示す。図１Ａ〜１Ｃは、アダプタ１００の様々な斜視図を提供する。図１Ｄ〜１Ｇはまた、アダプタ１００内に格納された様々な構成部品を図示するためにアダプタのフロントカバーが取り外された状態の、アダプタ１００の斜視図を提供する。アダプタ１００は、一体に連結されたフロントカバー及びバックカバーを有するハウジング１０２を含む。アダプタ１００はまた、アダプタ１００を眼科撮像機器（例えばスリットランプ２００）と着脱可能に連結する設置部材１０４も含む。アダプタ１００はまた、アダプタ１００と眼科撮像機器２００との連結を促進する適合用構成部品１０５も含む。構成部品１０５は、設置部材１０４を眼科撮像機器の設置用特徴部分（図示せず）に対して強く圧迫する、回転可能な設置用ノブ１０３を含んでよい。構成部品１０５はミラー１０６も含み、このミラー１０６はアダプタ１００から送達された光を患者の眼に向けて反射し、またこのミラー１０６は、ある程度の光がカメラ（例えばカメラ３６０）及び／又は双眼鏡（例えば双眼鏡２１０）若しくは他の接眼鏡と連結された双眼鏡アダプタ１５２へと戻るように送達されるよう、透明又は半透明であってよい。構成部品１０５は更に、アダプタ１００及び／又は眼科撮像機器２００の回転式調整を可能とするアジャスタバー１３５を含んでよい。
【００２４】
アダプタ１００は更に、外部レーザ送達機器（例えばレーザ送達機器３１０）の光ファイバケーブルと連結したインタフェース又はポート１１０を含む。外部レーザ送達機器の光ファイバケーブルは、治療レーザ１１２をアダプタ１００に提供又は送達する。アダプタ１００は、治療レーザ１１２を照準デバイス１３０（本明細書では走査デバイス又はシステムとも呼ばれる）に向けて反射するミラー１３６を含む。ミラー１３６は、穴開きミラー、ハーフミラー、ダイクロイックミラー等であってよく、レンズホルダ上に設置できる。照準デバイス１３０は、Ｃａｍｂｒｉｄｇｅ  Ｔｅｃｈｎｏｌｏｇｙ（登録商標）製の検流計ベースのスキャナ（一般に「ガルボ（ｇａｌｖｏ）」と呼ばれる）であってよい。照準デバイス１３０は、回転可能な要素又はミラー１３２、１３４のペアを含み、上記ペアは、要素又はミラー１３２、１３４を垂直な軸の周りで回転させるモータの頂上に設置される。各ミラー１３２、１３４は１Ｄビーム偏向を提供してよく、これによりミラーのペアは２Ｄビーム偏向を提供する。照準デバイス１３０を用いて、眼に対して治療レーザ１１２及び／又は他のレーザ（例えば照準レーザ１２２）を走査し、これによって上記レーザを、眼上の又は眼の中の所望の位置に照準を合わせて点灯できる。例えば照準デバイス１３０は、照準レーザ１２２を走査することによって、網膜組織上の治療境界及び／又は治療パターンを画定するため、並びに治療境界／パターン内の治療レーザ１１２のビームを走査することによって、境界画定型治療処置を提供するために使用してよい。
【００２５】
照準レーザ１２２は、照準デバイス１３０に向かってミラー１３６を通過する。いくつかの実施形態では、アダプタ１００は、外部レーザ送達機器又は源（図示せず）から照準レーザ１２２を受ける別のインタフェース又はポート（図示せず）を含んでよく、上記外部レーザ送達機器又は源は、治療レーザ１１２を送達するレーザ送達機器と同一であっても、又は異なるユニットであってもよい。他の実施形態では、アダプタ１００はハウジング１０２内にレーザ送達機器又は源１２０を含む。例えばレーザ送達機器１２０は、照準レーザ１２２を提供するレーザダイオード１２４、又はその代わりに高出力ＬＥＤを含んでよい。レーザ送達機器１２０はまた、メモリデバイス及び／又はプロセッサ等のコンピューティングデバイス１２６も含んでよく、これは、照準レーザ１２２の送達を制御するために、外部コントローラ（例えばコントローラ３３０及び／又は３１０）と通信可能に連結される。
【００２６】
一実施形態では、照準レーザ１２２は、治療レーザ１１２のレーザ経路と実質的に直交するレーザ経路に沿って提供してよい。しかしながら、照準レーザ１２２及び治療レーザ１１２のレーザ経路は、照準レーザ１２２がミラー１３６を通過した後に位置合わせされるか、又は実質的に同軸となってよい。例えばレーザ経路１２８は、照準デバイス１３０から送達されて患者の眼に向けてミラー１０６から反射されるレーザの経路を図示する。この時点でレーザ経路は同軸に位置合わせされていてよいため、レーザ経路１２８は、照準レーザ１２２及び治療レーザ１１２のうちの一方又は両方に対応してよい。
【００２７】
照準レーザ１２２は、網膜上の治療境界及び／又はパターンの視認性を改善するために、可視スペクトル内で選択された波長を有してよい。例えばいくつかの実施形態では、照準レーザ１２２の波長は約６００ｎｍ〜約７００ｎｍであり、より一般には約６５０ｎｍである。照準レーザ１２２は眼の網膜及び／又は他の組織を損傷しない低強度ビームであってよい。照準レーザ１２２はまた、治療レーザ１１２の入射スポットよりも実質的に小さい入射スポット又は断面を有してよい。いくつかの実施形態では、治療レーザ１１２もまた可視スペクトル内で選択された波長を有してよいが、不可視波長を用いてもよい。ある具体的実施形態では、治療レーザ１１２の波長は約４００ｎｍ〜約６００ｎｍであり、より一般には約５２０ｎｍ〜５６０ｎｍである。治療レーザ１１２は、眼の網膜及び／若しくは他の組織を凝固させる、並びに／又は他の治療的治癒を提供するために使用してよい。
【００２８】
アダプタ１００はまた、治療レーザ１１２及び／又は照準レーザ１２２の断面又は入射スポットを増大させるために使用してよい、倍率機構１４０を含む。倍率機構１４０は、レーザ経路（例えばレーザ経路１２８）に沿って、照準デバイス１３０の遠位に位置決めされる。倍率機構１４０は、回転可能なレンズホルダ１４４上に設置された複数のレンズ１４２を含む。各レンズは、治療レーザ１１２及び／又は照準レーザ１２２の断面又は入射スポットを増大又は減少させる、特定の光学的力を有する。レンズホルダ１４４は、レーザ経路１２８に沿って所望のレンズを位置決めできるように回転してよい。いくつかの実施形態では、レンズホルダ１４４は、ハウジング１０２の外側表面上に位置決めされた制御ノブ１４６を回転させることによって回転されるが、いくつかの実施形態では、レンズホルダ１４４を電子的に回転させてよい。
【００２９】
図２Ａ〜２Ｅは、スリットランプ２００と共に設置されたアダプタ１００の様々な斜視図であり、上記スリットランプ２００は、Ｈａａｇ‐Ｓｔｒｅｉｔ  Ｉｎｔｅｒｎａｔｉｏｎａｌ（登録商標）、Ｃａｒｌ  Ｚｅｉｓｓ（登録商標）等によって製造されたもの等の、一般に使用されるいずれのスリットランプであってよい。スリットランプ２００は、患者の眼の立体視画像を提供する双眼鏡２１０を含む。双眼鏡２１０は、双眼鏡アダプタ１５２と連結してよい。スリットランプ２００はまた、垂直なフレーム部材２２２、顎部台２２４及び頭部台２２６を有する、患者固定フレーム２２０を含む。図示されていないものの、スリットランプ２００はまた、様々なスリットランプの構成部品の機能制御及び／若しくは動作を提供するため並びに／又は治療処置ビームを送達するために使用できる、ジョイスティック及びフットペダルを含んでよい。スリットランプ２００及び／又は顎部台２２４は、様々なサイズの患者に適合できるよう、垂直方向に調整可能であってよい。
【００３０】
図３は、本明細書に記載の治療処置を提供するために使用できる様々な制御の実施形態を示す。具体的には、図３は、光ファイバ３２４を介して外部レーザ送達機器３１０と連結されたアダプタ１００を示す。光ファイバ３２４はポート１１０に接続され、治療レーザ１１２をアダプタ１００に送達する。光ファイバ３２４は、レーザ送達機器又は源３１０上の複数の光ファイバポート３２２のうちの１つと連結してよい。光ファイバポート３２２は、２つの光ファイバ３２４をレーザ送達機器３１０に接続できるようにすることができる。レーザ送達機器３１０はまた、治療処置に関する設定及び制御を図４Ａ〜４Ｃに示すように表示するディスプレイインタフェース３２０（例えばタッチスクリーンインタフェース）も含む。レーザ送達機器３１０はまた、ユーザがレーザ送達機器の様々な設定を遠隔操作及び調整できるようにする、遠隔制御ユニット３２６（無線又は有線）も含んでよい。同様に、レーザ送達機器３１０は、治療処置を実施するために及び／又は治療レーザ１１２を送達するために操作されるフットペダル３４０を含んでよい。フットペダル３４０は、レーザ送達機器３１０と無線で連結されてよい。レーザ送達機器３１０の例としては、ＩＲＩＤＥＸ  Ｃｏｒｐ（登録商標）によって製造されているＩＱ５３２、ＩＱ５７７、Ｏｃｕｌｉｇｈｔ  ＴＸ等が挙げられる。
【００３１】
レーザ送達機器３１０は、その従来の状態では境界画定型治療処置を提供できない従来のユニットであってよい。レーザ送達機器３１０がこの治療を提供できるようにするために、コンピュータシステム３３０をレーザ送達機器３１０及び／又はアダプタ１００と通信可能に連結してよい。コンピュータシステム３３０は、レーザ送達機器３１０と通信するためにレーザ送達機器３１０の１つ又は複数のポートに差し込まれる、別個のセットトップボックスであってよい。更にコンピュータシステム３３０は、治療処置を実施するためにコンピュータシステム３３０を様々な他のシステム又はユニットとインタフェース接続できる、１つ又は複数のプロセッサ及びメモリデバイスを含んでよい。情報はコンピュータシステム３３０と、レーザ送達機器３１０のコンピュータシステム又はプロセッサとの間でルーティングしてよく、これによってコンピュータシステム３３０は、治療レーザ１１２の送達を制御し、ディスプレイインタフェース３２０を介してユーザに情報をグラフィカルに表示する。例えばコンピュータシステム３３０は、レーザ送達機器３１０のコントロール（例えばタッチスクリーンコントロール、リモートコントロール３２６、フットペダル３４０等）とインタフェース接続してよく、これによってレーザ送達機器３１０の上記コントロールの調整がコンピュータシステム３３０の設定及びパラメータを構成又は調整できる。図４Ａ〜４Ｃに示すように、コンピュータシステム３３０はディスプレイインタフェース３２０を制御して、投射されている特定の治療境界／パターンの形状、配向、規模、幾何学的パターン、レーザ強度といった、境界画定型治療処置の様々な設定及び／又は操作を表示してよい。コンピュータシステム３３０は、（１つ又は複数の命令によって）レーザ送達機器３１０を制御して、治療レーザ１１２の複数の照射量を特定のポイント及び特定の時点において送達してよい。例えばコンピュータシステム３３０は、治療レーザ１１２のビーム又は照射量が所定の治療境界、治療パターン及び／又は以下に説明するような所定の幾何学的形状内に送達されるように、レーザ送達機器３１０を制御してよい。同様にコンピュータシステム３３０は、送達される治療レーザ１１２が眼の網膜組織を凝固させるか、又は以下に説明するような、パルス間に所定の緩和用間隔を有する外傷性の低い一連の短幅パルス（例えば短幅パルス治療）を提供するように、レーザ送達機器３１０を制御してよい。
【００３２】
要するに、コンピュータシステム３３０は、外科医又はユーザがコンピュータシステム３３０と対話して治療処置の様々なパラメータを調整できるようにするために、レーザ送達機器３１０がコンピュータシステム３３０のためのパススルー入力及びインタフェースデバイスとして機能するように、レーザ送達機器３１０と通信可能に連結してよい。コンピュータシステム３３０はまた、治療レーザ１１２をアダプタ１００に送達するための、レーザ送達機器３１０の既存のコントロール（例えばフットペダル３４０、内部ハードウェア構成部品等）と共に機能する。
【００３３】
コンピュータシステム３３０はまた、様々な照準又は他の機能を実施するために、アダプタ１００と通信可能に連結される。例えばコンピュータシステム３３０は、治療レーザ１１２及び照準レーザ１２２を網膜の特定の領域上に照準を合わせるか又は走査するために、照準若しくは走査デバイス１３０及び／又はレーザ送達機器１２０を制御してよい。コンピュータシステム３３０は、治療処置手技中に治療レーザ１１２及び照準レーザ１２２をインタリーブしてよい。コンピューティングデバイス３３０は、治療境界又は治療パターンを網膜上に画定又は投射するために、照準レーザ１２２の送達を制御し、走査デバイス１３０を制御する。
【００３４】
いくつかの実施形態では、制御ユニット３３０は、治療レーザ１１２がオフに切替えられている間に照準レーザ１２２をオンに切替えて、治療境界を画定する。続いて制御ユニット３３０は、治療レーザ１１２が治療境界内の標的組織において点灯している間に照準レーザ１２２をオフに切り替える。治療レーザ１１２の連続する点灯の間に、制御ユニット３３０は照準レーザ１２２をオンに切り替えることによって、治療境界又はパターンを網膜上に再画定又は投射してよい。図７Ａ〜７Ｆに示すように、結果として得られる観察者に対する視覚的効果は、治療境界又はパターン内の標的組織上に治療レーザからの治療スポットが順次点灯されて観察される間、網膜上に治療境界又はパターンが略連続的に出現していることであってよい。短幅パルスの送達等のいくつかの実施形態では、治療レーザ１１２が治療境界内で点灯されている間、照準デバイス１３０は連続的に走査されてよい。
【００３５】
いくつかの実施形態では、別個のユニットとして図示されているものの、レーザ送達機器３１０及びコンピュータシステム３３０は単一のユニットに合併され、これによって実質的に全ての制御及び走査が単一のユニットから提供される。更に、以下により詳細に記載するように、コンピュータシステム３３０は、以下に説明される網膜撮像及びトラッキング特徴を提供するため、並びに治療境界及び／又はパターンをディスプレイインタフェース３２０等のディスプレイデバイス上に表示するために、カメラ３６０（例えばＣＣＤカメラ等）と連結されてよい。
【００３６】
コンピュータシステム３３０はハードウェア及び／又はソフトウェアを備えてよく、これは、本明細書に記載の方法のうちのいくつか又は全て又は１つ若しくは複数を実装するための機械可読プログラム命令又はコードを実行する、１つ又は複数のプログラマブルプロセッサを含む場合が多い。コードは、メモリ（任意に読み取り専用メモリ、ランダムアクセスメモリ、不揮発性メモリ等）及び／又は記録媒体（フロッピー（登録商標）ディスク、ハードドライブ、ＣＤ、ＤＶＤ、メモリスティック等）といった有形媒体において実体化される場合が多い。
【００３７】
図４Ａ〜４Ｃは、ディスプレイインタフェース３２０上に表示できる様々なディスプレイを示す。治療用の光が治療レーザ１１２によって網膜組織上に送達されることになる９個の治療領域又は位置の正方形グリッドを含む治療パターン４０６を表示する、ディスプレイ４１０が示されている。このグリッドは、このグリッドが治療ボックス又は位置の３×３のアレイ、治療位置の４×４のアレイ、治療位置の５×５のアレイ、又は治療位置のユーザ定義アレイを含むように、コントロール４０４を用いて調整してよい。ディスプレイ４１０はまた、様々な設定、制御及び／又はパラメータを設定又は調整するために使用してよいコントロール４０２Ａ〜４０２Ｃも含む。例えばコントロール４０２Ａは、各治療位置内に送達されることになる治療スポットの中点間の間隔を制御するために、即ち換言すると、治療パターンの規模を画定するために使用してよい。コントロール４０２Ｂは、網膜に対する治療位置のアレイの配向を制御するために使用してよい。コントロール４０２Ｃは、必要な場合にアレイの弧及び／又は曲率半径を制御するために使用してよい。図４Ａは、弧及び曲率半径を有しない治療パターン４０６を示す。図４Ｃは、治療スポットの３つの行及び６つの列を含む、アーチ状の又は湾曲した治療パターン４３６を有するディスプレイ４３０を示す。治療パターン４３６は、ゼロでない弧（例えば３６０°）及び曲率半径（例えば２０００マイクロメートル）を含み、これによって治療パターン４３６は湾曲する。ディスプレイ４３０は同様に、制御ボタン４３２Ａ〜４３２Ｃ、４３４を含む。図４Ｂは、治療レーザ１１２及び／又は照準レーザ１２２の様々なパラメータを調整又は設定するために使用できるディスプレイ４２０を示す。例えば、タッチスクリーンコントロールを含んでよいディスプレイ４２０のコントロールは、治療レーザ１１２が点灯される期間４２２（例えばマイクロ秒間隔）を調整するため、治療レーザ１１２の電力レベル４２４（例えばマイクロワット）を調整するため、及び連続する治療レーザの点灯の間の間隔４２６（例えばマイクロ秒）を調整するために使用してよい。
【００３８】
ディスプレイ４２０は、従来の光凝固手技と短幅パルス手技との間で治療レーザ１１２を調整するために使用してよい。ディスプレイ４２０はまた、光ファイバ３２４が接続されることになるポート（例えば３２２）を選択するコントロールといった、他のコントロール４２８も含んでよい。上述のように、ディスプレイ３２０のコントロールはタッチスクリーンコントロールであってよく、又は回転可能若しくは選択可能なタブ若しくはボタンを含んでよい。
【００３９】
治療境界及び／又はパターンの実施形態
図５Ａ〜５Ｆは、本明細書に記載の治療処置のために使用してよい治療境界及び／又はパターンの様々な実施形態を示す。これらの治療境界／パターンは、照準又は走査レーザ１２２によって患者の網膜上に投射又は画定してよい。投射又は画定された境界又はパターンをカメラによってキャプチャして、ディスプレイインタフェース３２０等のディスプレイデバイス上にユーザ又は外科医に対して表示してよい。治療境界／パターンは、その中で治療処置が提供され、かつその外側で治療処置が提供されない領域を画定する。本明細書に記載の治療境界プロセスの１つの利点は、治療領域の境界が明確に画定されることであり、これによって外科医又はユーザは、治療処置が提供される場所及び提供されない場所を正確に知るか又は決定することができる。
【００４０】
図５Ａは、その中で１つ又は複数の治療レーザパルス又は照射量が点灯され得る単一の治療領域５１２を取り囲む、正方形又は矩形の治療境界５１０を示す。図５Ｂは、複数の同一サイズの治療正方形又は矩形５２２のグリッド又はアレイを含む治療パターン５２０を示す。治療パターン５２０は、周縁部５２６及び内部のライン５２６によって画定される。図５Ｂは３×３のアレイを図示しているが、いずれのＭ×Ｎのアレイを使用してよい。図５Ｃは、４つの側部を有する複数の幾何学的形状５３２のアレイを含む、アーチ状の又は湾曲した治療パターン５３０を示す。各形状５３２は、対向する直線状側部５３６と、対向するアーチ状の側部５３４とを有する。治療パターン５３０は曲率半径を有してよく、対向する直線状側部５３６はそれぞれ、中点から放射状に突出してよい。図５Ｄは、ハニカムパターンに配設された複数の六角形形状５４２を有する治療パターン５４０を示す。図５Ｅは、治療レーザパルス又は照射量が送達されることになる位置を画定する複数の照準スポット５５２の正方形又は矩形アレイを有する治療パターン５５０を示す。図５Ｆは、治療レーザパルス又は照射量が送達されることになる位置を画定する複数の照準スポット５６２の半円形アレイを有する治療パターン５６０を示す。
【００４１】
走査又は照準デバイスにより照準レーザ（例えば照準レーザ１２２）の位置を制御することによって、治療境界、パターン及び／又は幾何学的形状を網膜上に投射又は画定してよく、これにより照準レーザは、網膜組織上に治療境界、パターン及び／若しくは幾何学的形状の輪郭を描画するか若しくは画定し、並びに／又はディスプレイデバイス若しくはインタフェース上に治療パターンを表示できる。照準レーザの位置を複数のパルスそれぞれの間で調節することによって、網膜上に治療境界、パターン及び／又は幾何学的形状を画定するか、又はこれらの輪郭を描画してよい。結果的に得られる視覚的効果は、図５Ａ〜図５Ｄに示すように網膜上に画定される中実、半中実又はパルス状の治療境界、パターン及び／又は幾何学的形状であってよい。
【００４２】
図５Ａ〜図５Ｄは、単なる例示を目的としたものであること、及び治療境界／パターンは、循環パターンを含んでも含まなくてもよい幾何学的形状の他の様々なアレイを含んでよいことを理解されたい。
【００４３】
図６Ａ〜図６Ｆは、治療境界若しくはパターン内で点灯若しくは送達される、又はこれらと同軸に送達される治療レーザを表す治療スポットを示す。治療スポットは、従来の光凝固手技においてと同様に、治療レーザ点灯時に発生する視認可能な組織損傷を表してよく、又は短幅パルス手技においてと同様に、組織損傷が視認できない場合であっても、治療レーザを点灯した位置を表してよい。図６Ａは複数の治療スポット６１２を示し、これらは、治療レーザ（例えば治療レーザ１１２）を点灯した又は点灯することになる治療境界５１０内の位置を表す。同様に、図６Ｂは、治療パターン５２０の各治療正方形又は矩形５２２内で点灯されている治療スポット６２２を示す。図６Ｃは、治療パターン５３０の各幾何学的形状５３２の中心の実質的に内部で点灯されている治療スポット６３２を示し、図６Ｄは、治療パターン５４０の各六角形形状５４２の略中心内で点灯されている治療スポット６４２を示す。図６Ｃは、アーチ状治療処置が提供される実施形態を示し、図６Ｄは、治療スポットの間隔がより緊密であるか又は密接している実施形態を示す。図６Ｄの治療スポットは、隣接する行及び／又は列の治療スポットと重なってよい。図６Ｅ、６Ｆはそれぞれ、治療パターン５５０、５６０の照準スポット５５２、５６２に対して実質的に同軸に送達される治療スポット６５２、６６２を示す。別の実施形態では、大きい円６５２、６６２は画定された治療パターンを表してよく、小さいスポット５５２、５６２は、各治療パターンの略中心内において点灯又は送達された治療レーザを表してよい。このような実施形態は、画定された治療パターン又は境界が、接触して隣接する幾何学的形状を有する必要はないことを示す。寧ろ幾何学的形状のうちのいくつか又は全ては、１つ又は複数の隣接する幾何学的形状から隔離されてよい。
【００４４】
図６Ｂ〜図６Ｄは、各幾何学的形状内に送達される単一の治療スポットを示すが、いくつかの実施形態では、多数の（例えば２つ、３つ、４つ又は５つ以上）のスポットを幾何学的形状のうちの１つ又は複数内に送達してよい。同様に、各幾何学的形状内に送達される治療スポットの数は変化してよく、これによって追加の治療処置の柔軟性が提供される。
【００４５】
図８は、治療処置が望まれない網膜組織８２０に隣接して配置された治療パターン又は境界８１０を示す。治療パターン８１０は、組織８２０が治療パターン又は境界の外側となるよう、組織８２０に隣接して配置される。組織８２０は、感受性組織、眼の特徴部分（例えば眼窩、黄斑等）及び／又は治療処置が望まれない他のいずれの組織であってよい。上述のように、治療パターン８１０は網膜上に投射され又は画定され、これによって外科医又はユーザは、治療パターン８１０の外縁部又は周縁を組織８２０に隣接して位置決めできる。網膜上への治療パターン８１０の投射又は画定により、外科医又はユーザは、組織８２０が治療されないことを保証しながら、治療パターンを組織８２０に近接して又は組織８２０から離間して位置決めできる。また、図８に示すように、治療処置（即ち治療スポット８３０）は治療パターン８１０内に閉じ込められており、これによって組織８２０が治療処置を受けないことを保証する。治療パターン８１０の形状及び／又は治療パターン８１０のパラメータ（例えば間隔、半径、行又は列の数等）を変更することによって、眼の様々な特徴部分を収容してよい。例えば、図５Ｃの半円形パターンは、組織８２０の一部分又は眼窩を包囲するために使用してよい。同様に、図５Ｄのハニカムパターンは、治療スポットを治療領域内に密に詰め込むために使用してよい。
【００４６】
治療処置手技の実施形態
いくつかの実施形態では、治療レーザを、図６Ｂ〜図６Ｄに示すような各幾何学的形状の略幾何学的中心内で点灯してよい。網膜に入射する治療レーザの治療スポットサイズは、上記幾何学的形状と実質的に等しいサイズであるか、又はこれより僅かに小さくてよい。更に、上述のように、治療レーザの点灯中に照準レーザをオフに切り替えてよく、照準ビームが治療境界又はパターンを画定するか又はその輪郭を描画している際に治療レーザをオフに切り替えてよい。
【００４７】
治療処置パルス又は照射量（例えば図６Ａ〜図６Ｄに示すスポット）は、治療境界若しくはパターンを通した治療レーザビーム（若しくはより適切には治療レーザビームの軸）の連続的な走査中に送達してよく、又は治療レーザビームは、各標的部位まで順次移動されてよく、そして治療レーザを一時的に停止している間に治療レーザを点灯させてよい。連続走査手技は、マイクロパルス手技が治療レーザに関連する開始及び停止時間を最小化することによって手技時間全体を最小化するために、特に有用であり得る。治療レーザビーム（即ち治療レーザの軸）は、治療レーザビームが指定された終点に到達する、及び／又は治療境界若しくはパターン全体を走査するまで、治療境界／パターンを通して行ごと及び／又は列ごとに連続的に走査されてよい（例えばラスタ走査パターンと同様）。治療レーザは、連続走査中、治療レーザが指定された標的部位それぞれに近接する際に、所定の期間だけ順次又は繰り返し点灯されてよい。治療レーザビームを走査及び連続走査の開始点に再位置決めしてよく、点灯プロセスを繰り返すことによって、既に治療された網膜組織のうちのいくつか又は全てに追加の治療処置を提供してよい（例えば追加の治療処置は、いくつかの又は各標的部位に提供される）。別の実施形態では、治療レーザを各治療位置に停止又は一時停止させて、十分な治療が提供されるまで治療レーザを上記治療位置で繰り返し点灯させてよい。
【００４８】
短幅パルス手技では、同一の標的部位における治療処置パルス又は照射量間の間隔は、治療中の網膜組織が十分に緩和され、組織の温度が凝固による損傷の閾値を下回ったままとなるよう、十分に長くてよく、これにより組織損傷を最小化できる。短幅パルス手技の熱的効果は、網膜色素上皮層だけに限局されてよい。いくつかの実施形態では、この緩和間隔又は熱緩和時間の遅延は、約１９０マイクロ秒以上であってよい。同様に、いくつかの実施形態では、治療レーザの点灯期間（即ち治療パルス又は照射期間）は約５〜１５マイクロ秒であり、より一般には約１０マイクロ秒である。
【００４９】
各走査及び点灯プロセス（即ち所定の開始点と終点との間）は、短幅パルス手技の１つのサイクルを構成してよい。短幅パルス手技は、約１０〜１００００サイクルを伴ってよい。いくつかの実施形態では、治療レーザは、走査の各サイクル中に９個以上の治療部位で点灯され、各短幅パルスサイクルは約０．５〜１．５ミリ秒、より一般には約１ミリ秒で完了するが、治療レーザはいずれの数の治療部位で点灯してよく、各サイクルはより短い又はより長いサイクル期間を含んでよいことを理解されたい。更に、所与の治療境界／パターンに対する治療処置手技は、単一の連続走査、又はそれぞれ異なる開始点及び終点を有する数回の連続走査を含んでよい。
【００５０】
ある代替実施形態では、治療レーザは、各標的部位に順次配置されてよく、一連の短幅パルスは、次の治療部位への移動前に上記標的部位に送達されてよい。各パルスは、特定の期間（例えば約５〜１５マイクロ秒、より一般には約１０マイクロ秒）だけ点灯されてよく、また各パルスは、標的部位の網膜組織が十分に緩和し、組織の温度が凝固温度を下回ったままとなるよう、十分に長い緩和間隔（例えば約１９０マイクロ秒以上）を有してよく、これにより組織の損傷を最小化する。短幅パルスは、短幅パルス手技において公知であるように、治療的治癒の光活性化を誘発又は提供するのに十分なものであり得る。前者の短幅パルス実施形態は、緩和間隔中に、治療レーザを他の治療部位において点灯でき、これにより全体的な治療時間が最小化されるという利点をもたらす。
【００５１】
短幅パルス手技はまた、治療レーザビーム（即ち治療レーザの軸）が、各レーザパルス又は照射量間の所定の時間間隔で、連続走査されている際に、一連のパルスを送達してもよく、これにより、隣接する治療スポット間の所定の間隔を提供する。このような手技は、例えば図５Ｂ〜図５Ｄに示すもののような幾何学的形状のアレイを有する治療パターンを使用する場合、及び／又は例えば図５Ｅ、５Ｆに示すもののような照準スポットのアレイを使用する場合に、有益であり得る。所定の時間間隔及びその結果として得られる間隔は、各パルスが、幾何学的形状のうちの１つの中の、各形状の略幾何学的中心内に、及び／又は照準スポットのうちの１つ若しくは複数に亘って、送達されるようなものであってよい。
【００５２】
治療処置手技は、治療処置を網膜の１つの領域に送達し、続いて治療処置を網膜の１つ又は複数の他の領域に送達するステップを伴ってよい。例えば、照準デバイス（例えば照準デバイス１３０）は、網膜の第１の領域上に第１の治療境界又はパターンを画定して、画定された第１の治療境界又はパターン内に治療処置を送達し、続いて網膜の第２の領域上に第２の治療境界又はパターン（即ち同一の又は異なる境界／パターン）を画定して、画定された第２の治療境界又はパターン内に治療処置を送達してよい。このプロセスを所望の回数だけ繰り返すことによって、治療処置を提供してよい。
【００５３】
図９Ａは、連続走査プロセス中に治療レーザの点灯によって得られた細長い治療スポット９００を示す。図９Ａに対応する治療レーザの治療スポットは、実質的に円形の断面を有してよい。細長いスポットが生じる原因は、治療レーザが点灯プロセス中に連続的に移動することであり得る。従って、短幅パルス点灯期間が短い（例えば約１０マイクロ秒）場合であっても、治療レーザの連続的な移動によって多少の伸長が発生し得る。連続的に移動する治療レーザの影響を最小化するため、組織に入射する治療スポットの断面は、図９Ｂに示すように治療レーザ経路と直交する方向に横長楕円形又は縦長楕円形になり得る。図９Ｃに示すように、横長楕円形又は縦長楕円形治療スポット９１０は、治療レーザビーム又はより適切に言えば治療レーザビームの軸が網膜全体に亘って走査されて一連のパルスが送達される際に、網膜上に、より円形の治療スポット９３０又は入射光プロファイルを生成するのを容易にする。
【００５４】
網膜マッピング／トラッキングの実施形態
図１０Ａ〜図１０Ｃは、本明細書に記載のもの等の治療処置プロセスで使用できる網膜マップ、プロファイル又は画像を伴う実施形態を示す。図１０Ａは、スリットランプ又は他の眼科撮像機器の１つ又は複数のカメラ（例えばカメラ３６０）を用いてキャプチャできる、患者の網膜の網膜マップ又は画像１０００を示す。上述のように、コンピュータシステム３３０は、網膜マッピング、撮像及び／又はトラッキング提供するために、カメラ３６０と通信可能に連結してよい。コンピュータシステム３３０は、網膜１０１２の画像１０００を生成でき、かつ治療処置によって治療される１つ若しくは複数の治療領域及び／又は１つ若しくは複数の治療パターンを決定する補助となる情報を提供できる、測定デバイスを有してよい。網膜画像１０００を参照することによって、ビーム、例えば治療ビーム１１２を網膜の治療領域に向けて配向してよい。このビームは治療処置を提供できる。治療スポット等の印を、治療領域に対応した位置において網膜画像１０００上に重畳して、提供される治療処置を記録してよい。例えば、治療スポット又は他の印を、ビームが点灯される各位置において網膜画像１０００上に重畳してよい。重畳された複数の治療スポットは、提供される治療処置を表示してよい。次に、網膜画像を参照することによってビームを網膜の別の治療領域に再位置決めし、第２の治療処置を提供し、及び／又は上述の様式で重畳された治療スポットと共に記録してよい。
【００５５】
いくつかの実施形態では、画像１０００に関して治療領域、境界及び／又はパターン１０２０を参照することによって、治療領域、境界及び／又はパターン１０２０の位置と画像１０００のデータとの関係を確立できる。治療領域、境界及び／又はパターン１０２０を網膜１０１２上の特徴部分又は基準位置１０１０にリンクさせてよく、様々な静脈、動脈、視神経円板、黄斑、網膜の標識又は特徴部分といった上記特徴部分又は基準位置１０１０を、画像１０００中で識別できる。治療領域、境界及び／又はパターン１０２０の位置確認及び／又は決定と共に、測定デバイス（例えばコンピュータシステム３３０）は更に、アダプタ１００及びスリットランプ２００といった治療処置送達システムが使用する治療命令のセットを計算できるプロセッサシステムの少なくとも一部分を含んでよい。
【００５６】
測定デバイス（例えばコンピュータシステム３３０）並びに／又は治療処置システム（例えばアダプタ１００及びスリットランプ２００）は、メモリに保存されたソフトウェアと、患者の網膜の撮像及び患者の網膜に対する治療処置（例えば治療レーザ１１２）の送達、並びに撮像組立体の１つ又は複数の光軸に対する患者の眼の配置又は位置（任意にｘ方向、ｙ方向及びｚ方向における並進並びにねじり回転を含む）等を制御するために使用できるハードウェアとを有してよい。例示的実施形態では、コンピュータシステム３３０（例えば測定デバイス）は特に、カメラ３６０を用いて撮影した１つ又は複数の画像に基づいて治療領域、境界及び／又はパターン１０２０を計算し、２つの画像内における患者の眼のずれを測定するようプログラム可能である。更にコンピュータシステム３３０は、レーザビーム（例えば、治療レーザ１１２及び／又は照準レーザ１２２）の光軸に対する患者の眼／網膜の運動又は位置ｘ（ｔ）、ｙ（ｔ）、ｚ（ｔ）及び回転方向を、効果的にはリアルタイムで測定するようプログラムでき、これによってコンピュータシステム３３０は、患者の眼のリアルタイムの位置上に所望の治療領域、境界及び／又はパターン１０２０を位置合わせ又は整列させることができる。
【００５７】
治療中に、患者の眼の所望の治療領域、境界及び／又はパターン１０２０を位置合わせするために、カメラ３６０によって撮影された患者の網膜からの画像は、共通の座標系を共有するべきである。この共通の座標系は、瞳孔若しくは内側虹彩境界の中心、外側虹彩境界の中心、様々な静脈若しくは動脈の中心、視神経円板若しくは黄斑の中心、他の網膜の標識若しくは特徴部分の中心、又は眼の他のいずれの適切な特徴部分に基づくものであってよい。
【００５８】
図１０Ｂに示すように、治療処置によって治療されることになる１つ又は複数の所望の領域は、第１の網膜画像１０００と関連した診断データを参照して決定されてよく、この第１の網膜画像１０００は、カメラ３６０によってキャプチャされ、及び／又は過去に取得されてコンピュータシステム３３０に入力される。次に、各治療領域に関して使用される境界及び／又はパターン１０２０を決定してよい。これらの決定は、コンピュータシステム３３０の助けを借りて若しくはこのような助けなしで外科医により行われてよく、又はいくつかの実施形態では、コンピュータシステム３３０によって自動的に行われてよい。各治療領域、境界及び／又はパターン１０２０は同一であってよく、又は異なってよい。
【００５９】
いくつかの実施形態では、次に、１つ又は複数の所望治療領域、境界及び／又はパターン１０２０をコンピュータシステム３３０にプログラムしてよい。コンピュータシステム３３０はカメラ３６０と共に動作し、患者の網膜と網膜画像１０００とを比較することによって、１つ又は複数のプラグラムされた治療領域に対応した患者の網膜１０１２の領域を決定してよい。いくつかの実施形態では、治療処置手技の直前等にカメラ３６０によって眼の第２の画像をキャプチャし、２つの画像を処理又は比較して網膜治療位置情報を生成し、次にこの情報を第２の画像に参照させてよい。１つ若しくは複数の治療領域、１つ若しくは複数の境界及び／又は１つ若しくは複数のパターンを、治療処置手技の前に患者の網膜上に重畳し、及び／又はディスプレイインタフェース（例えばタッチスクリーンディスプレイ３２０）上に表示し、これによって、提供されることになる１つ又は複数の治療及び上記１つ又は複数の治療を受けることになる領域を表示してよい。外科医又はユーザは、上記１つ又は複数の治療処置を評価してよく、所望によっては治療処置のうちの１つ又は複数の特性（例えば配向、規模、境界、パターン等）を修正又は調整してよい。
【００６０】
いくつかの実施形態では、コンピュータシステム３３０は、アダプタ１００又は治療処置システムの他の構成部品に命令を出すことによって、網膜１０１２上の治療境界及び／又はパターン１０２０を画定するために照準レーザビーム（例えば照準レーザ１２２）を網膜１０１２の所定の治療領域上に点灯してよい。他の実施形態では、治療境界及び／又はパターンは網膜上に画定されなくてよく、従って照準レーザは不要となり得る。
【００６１】
コンピュータシステム３３０はまた、レーザ送達機器３１０又は他の治療処置システム構成部品に命令を出すことによって、治療領域内、並びに／又は照準レーザビームによって画定された治療境界及び／若しくはパターン１０２０内において、治療レーザビーム（例えば治療レーザ１１２）を網膜１０１２に配向してよい。第２のレーザビーム（例えば治療レーザ１１２）は、所望の治療処置パルス又は照射量１０３０（例えば短幅パルス又は他の治療）を、図１０Ｃに示すように画定された治療領域及び／又は治療境界及び／又はパターン１０２０内の網膜組織に送達してよい。
【００６２】
網膜画像１０００は、即座に又は後に参照するためにメモリデバイス及び／又はデータベース内に保存されてよい。上で概説したように、患者が受ける１つ又は複数の治療をトラッキングするために、網膜組織１０１２に提供された治療処置１０３０を網膜画像１０００上に記録してよい。提供される治療処置の記録は、網膜画像１０００に対する治療レーザビーム１１２の位置（即ちレーザビーム軸の位置）を監視するステップと、治療レーザ１１２を点灯した際の治療レーザの各位置を記録するステップとを伴ってよい。個々の治療スポット又は位置を網膜画像１０００上に記録することによって、治療を受けた領域を表示してよい。このようなマッピング及び記録手技は、治療処置の視認可能な効果が存在せず、よって上記このようなマッピング及び記録手技がなければ過去の短幅パルス治療を知ることができない場合の、短幅パルス治療手技において、特に有用となり得る。
【００６３】
同様に、１つ又は複数の治療処置セッションに亘って患者に提供される複数の治療処置を、網膜画像１０００上にマッピング又は撮像してよい。続いて提供される各治療処置を、網膜画像１０００又は第２の網膜画像上に記録してよく、これによって、提供される実際の治療処置を、マッピング又は撮像された治療処置と比較して、患者の全体的治療処置状態をトラッキングするか、又は治療の進展及び上記治療に対する患者の応答を決定してよい。
【００６４】
コンピュータシステム３３０及びカメラ３６０はまた、患者の眼の移動に応答して治療処置システム（例えば治療レーザ１１２及び／又は照準レーザ１２２）を調整するために使用してよい。例えば、コンピュータシステム３３０は、カメラ３６０によって提供される１つ又は複数の他の画像と合わせて網膜画像１０００を参照することにより、患者の眼が移動したかどうかを決定してよい。眼の移動に応答して照準レーザ１２２の位置を調整することで、投射又は画定された治療境界／パターンは網膜に対して正確な配向を維持してよい。同様に、治療レーザ１１２の位置も調整することによって眼の移動を補償してよく、これにより、調整された治療領域、境界及び／又はパターン内で治療レーザ１１２を確実に点灯させる。調整は、眼の網膜特徴部分（例えば静脈、動脈、黄斑等）の新たな位置を決定するステップ、網膜特徴部分の新たな位置に基づいて治療境界／パターンの新たな位置を決定するステップ、及びこれに応じて照準デバイス１３０を調整するステップを含んでよい。カメラ３６０によってキャプチャされた画像はコンピュータシステム３３０に提供され、網膜画像１０００とリアルタイムで比較されて、眼の移動に基づく治療処置のリアルタイムトラッキング及び調整を提供できる。
【００６５】
連続的治療パターンを投射するステップの実施形態
本明細書に記載しているように、いくつかの実施形態では、短幅パルス手技を用いて、患者の眼の眼球組織（例えば網膜組織、前眼房の組織等）に治療用の光を送達してよい。このような短幅パルス治療は典型的には、多数のミリ秒のパルスを数ミリ秒の期間に亘って低いデューティサイクルで送達することを含む。これらの手技は、他の従来の手技とは異なり、損傷を引き起こさない。これらの手技はまた、典型的には、眼球組織に対していずれの視認可能な端点を生成しない。走査手技において、パターンが横断されて治療が実施される場合、治療されるポイントの視覚的指示が好ましい場合が多い。
【００６６】
更に、各治療位置において、短幅パルスバースト間の実用上最大の熱緩和を可能とするために、低いデューティサイクルが望ましい場合が多いため、短幅パルス治療は、治療位置又はポイントあたりの長い治療時間を必要とし得る。治療される位置又はポイントの視覚的指示を提供しながら短幅パルスバースト間の熱緩和を増大させるために、短幅パルス治療ビームを、治療パターンの開始位置に戻る前に、治療パターン内の全ての治療位置に亘って走査してよい。治療用の光を概ね同一の眼球標的位置に送達する精度又は再現性を上昇させるために、治療用の光の送達中にビームが各治療位置に固定されるように、治療ビームを複数の標的位置間で増分的に走査してよい。治療ビームが連続的に走査されて治療用の光が送達される実施形態では、光の送達は、走査ミラーのモータ機能の僅かな変動によって、治療位置から僅かに逸れる場合がある。治療用の光の送達中にビームが各治療位置に固定されるように、治療ビームを増分的に走査することによって、比較的高額な走査用ミラー系を使用する必要を排除することもできる。
【００６７】
走査が十分に短い期間で終了した場合、眼球組織に向かって配向された治療用の光の視覚的効果は、治療パターンの大半又は全てが眼球組織上で視認できるようになることであってよい。換言すると、治療パターンの複数の標的位置は、治療ビームによって眼球組織上に略同時に現れることができる。この視覚的効果により、外科医が治療を受けた領域を迅速かつ容易に推定できようにすること、及び／又は後の短幅パルス治療のために治療ビームを移動させるべき領域を評価できるようにすること等によって、短幅パルス治療を提供するにあたって外科医をガイドすることができる。更に、治療ビームは、最初の治療位置に戻る前に、全治療パターンを通して治療位置間で増分的に走査されるため、各スポットにおける短幅パルスバースト間の熱緩和は、およそフレーム又は治療パターン横断速度まで増大する。この走査手技の便益としては：総治療時間の減少、熱緩和期間の増大、及び走査される治療領域又はパターンの視認性の向上が挙げられる。実施形態の説明を容易にするために、眼球組織をこれ以降網膜組織と呼ぶが、本明細書に記載の実施形態は眼の実質的にいずれの組織を治療するために使用してよいことを理解されたい。
【００６８】
走査手技の実施形態を更に例示するために、図１１Ａは、３行×３列に配列された９個の治療位置のアレイを備える治療パターンに対して実施される、短幅パルス治療を図示している。この治療を実施するにあたって、治療ビームの走査は第１の治療位置１１０２ａにおいて開始され、治療用の光の短幅パルスバーストは、治療ビームが第１の治療位置１１０２ａに固定されたままの状態で、第１の治療位置１１０２ａにＴuマイクロ秒だけ送達される。次に治療ビームは、第２の治療位置１１０２ｂに再位置決め又は走査１１０４される。治療ビームの移動の期間は約Ｔmマイクロ秒である。治療用の光の短幅パルスバーストは、治療ビームが第２の治療位置１１０２ｂに固定されたままの状態で、第２の治療位置１１０２ｂにＴuマイクロ秒だけ送達される。次に治療ビームは、約Ｔmマイクロ秒の時間内に第３の治療位置に再位置決め又は走査１１０４される。このプロセスは、治療パターンの９個の治療位置全てに対して繰り返され、その後、約Ｔmマイクロ秒の時間内に、第１の治療位置へと戻る治療ビームの走査又は再位置決め１１０４が行われる。
【００６９】
このように、治療パターンの治療位置それぞれを通して治療ビームを増分的に走査し、治療用の光を治療パターンの治療位置それぞれに送達するステップは、フレーム又はサイクルを含む。図１１Ａは、第１のフレーム又はサイクル１１０６ａ、第２のフレーム又はサイクル１１０６ｂ、ｎ番目のフレーム又はサイクル１１０６ｃに対して治療が提供されていることを示す。いくつかの実施形態では、網膜治療プロセス全体は、網膜組織への１０〜１００００治療サイクルの送達を含んでよい。各フレームの走査は、治療パターンの９個の標的位置のそれぞれ又は殆どが、治療ビームによって患者の眼の眼球組織上に同時に照明されるよう、十分に短い期間で完了させてよい。従って、外科医の視点からは、９個の治療位置のアレイ（即ち治療パターン）は、患者の眼の眼球組織上で「律動する（ｐｕｌｓｅ）」ように見えてよい。換言すると、９個の治療パターンは、患者の眼の眼球組織上に同時に及び反復的に照明されるように見えてよい。このようにして、治療パターンは眼球組織上に「刻印された（ｓｔａｍｐｅｄ）」ように見えてよい。
【００７０】
単一の治療サイクルの治療時間（Ｔcycle）は、以下の等式：
Ｔcycle＝ｎ＊（Ｔu＋Ｔm）
によって推定でき、ここでｎは治療位置の個数、Ｔuは短幅パルス時間又は期間、Ｔmはスポット間移動時間又は期間である。また、治療ビームは、第１の治療位置に戻る前に全治療パターンを通して増分的に走査されるため、治療時間Ｔcycleは、各治療位置に関する熱緩和時間に略等しい。全治療プロセスに関する総治療時間（Ｔ）は、以下の等式：
Ｔ＝Ｎburst＊Ｔcycle  即ち  Ｔ＝Ｎburst＊ｎ＊（Ｔu＋Ｔm）
によって推定でき、ここでＴcycleは単一のサイクルの治療時間、Ｎburstは、各治療位置において送達されることになる短幅パルスバーストの数である（即ちこれは、全治療プロセス中のサイクルの数に等しい）。
【００７１】
他の短幅パルス治療手技と比較して、上述の治療手技は、全体的な治療時間を有意に減少させる。例えば図１１Ｂは、治療ビームが第１の治療位置１１１２ａに位置決めされ、複数の短幅パルスバースト（ｎ）が第１の治療位置１１１２ａに送達され、各バーストのパルス時間又は期間はＴuであり、間隔又は緩和時間はＴiである、短幅パルス治療を図示する。複数の短幅パルスバースト（ｎ）が送達された後、治療ビームは第２の治療位置１１１２ｂへ走査又は再位置決めされ、ここで複数の短幅パルスバーストが送達される。このプロセスは、治療パターンの治療位置それぞれに関して繰り返される。
【００７２】
単一の治療位置に関する治療時間（Ｔpos）は、以下の等式：
Ｔpos＝Ｎburst＊（Ｔu＋Ｔi）
によって推定でき、ここでＮburstは、各治療位置において送達されることになる短幅パルスバーストの数、Ｔuは短幅パルスのパルス時間又は期間、Ｔiは緩和時間である。治療プロセス（Ｔ）に関する総治療時間（Ｔ）は、以下の等式：
Ｔ＝ｎ＊（Ｔpos＋Ｔm）  即ち  Ｔ＝ｎ＊（Ｎburst＊（Ｔu＋Ｔi）＋Ｔm）
によって推定でき、ここでＴposは単一の治療位置に関する治療時間、ｎは治療位置の個数、Ｔmはスポット間移動時間又は期間である。
【００７３】
後者の短幅パルス手技（即ち別の治療位置に移動する前の、各治療位置における短幅パルス光の送達）と比較した、前者の短幅パルス手技（即ち増分的走査及び短幅パルス送達）を使用する際の全体的な利得は、以下の等式：
Ｔformer＝Ｎburst＊ｎ＊（Ｔu＋Ｔm）  即ち  Ｔformer＝ｎＮburstＴu＋ｎＮburstＴm
Ｔlatter＝ｎ＊（Ｎburst＊（Ｔu＋Ｔi）＋Ｔm）  即ちＴlatter＝ｎＮburstＴu＋ｎＮburstＴi＋ｎＴm
を使用して推定でき、ここでＴformerは前者の手技の上述のような推定治療時間であり、Ｔlatterは後者の手技の上述のような推定治療時間である。
【００７４】
上述の等式から、治療時間の差は：
ｎＮburstＴi＋ｎＴm＞ｎＮburstＴm
又は共通の変数を消去して：
ＮburstＴi＋Ｔm＞ＮburstＴm
となる。おおよその性能比利得（Ｇ）は、以下の等式：
Ｇ＝Ｔi／Ｔm
を使用して推定できる。
【００７５】
要約すると、前者の短幅パルス手技（即ち増分的走査及び短幅パルス送達）は、他の短幅パルス治療手技と比較して、治療時間において有意な利得を提供する。更に、迅速な走査運動及びパルス治療バーストの時間的短さという特徴によって、治療パターンの視認性（例えば治療パターンの大半又は全ての同時照明）が上昇する。送達されるエネルギは従来の短幅パルス手技とおおよそ等しくなるが、緩和時間が長くなり、全体の治療時間が短くなる。殆どの治療は、全パターンが、その殆どが投射され連続的に又は同時に照明されたパターンとして現れるように、短幅パルスバーストの全フレームを送達することになる。この投射されたパターンにより、医師は全走査領域を容易に治療できるようになる。
【００７６】
いくつかの実施形態では、照準ビームを本明細書に記載したように使用して、患者の眼の網膜組織上に治療パターンを画定してよい。このような様式の照準ビームの使用により、外科医が治療ビームで治療される領域を識別するのを助けることができる。いくつかの実施形態では、治療を提供する前にのみ照準ビームを使用して、網膜上に治療パターンを最初に画定してよい。他の実施形態では、治療ビームの操作中に照準ビームを点灯して、治療パターンを更に画定してよい。
【００７７】
図１１Ａは、短幅パルス治療手技のために９個の治療スポットパターン又はアレイを使用することを示しているが、他の実施形態では、他の治療パターンを使用してよいことを理解されたい。図１２Ａ〜Ｈは、短幅パルス治療を提供するにあたって使用できる他の治療パターン又は治療スポット配置を示す。図１２Ａ〜Ｈに図示されている各パターンに関して、図１１Ａ〜Ｃを参照して上述したような増分的走査短幅パルス手技（即ち増分的走査及び短幅パルス送達、これ以降、増分的走査短幅パルス手技と呼ぶ）を、従来の短幅パルス手技（即ち別の治療位置に移動する前の、各治療位置における短幅パルス光の送達、これ以降、従来の短幅パルス手技と呼ぶ）と比較する。この比較を行うにあたって、増分的走査短幅パルス手技は、約１００μｓ（マイクロ秒）のパルス幅、及び各スポットへの１００回の短幅パルスバーストの送達を有することになる。上述のように、各治療位置のオフ時間又は緩和時間は、全フレーム又は治療パターンを通した治療ビームの走査時間と略等しい。従来の短幅パルス治療は同様に、オフ時間又は緩和時間が１９００μｓの約１００μｓのパルス幅、及び各スポットへの１００回の短幅パルスバーストの送達を有することになる。パルス幅はおおよそ１００μｓであると考えられるものの、いくつかの実施形態では上記幅は５０〜１０００μｓで変化してよく、ただしより一般にはこの幅は５０〜２００μｓ又は５０〜１５０μｓで変化する。更に、図１１Ａ〜Ｃに関連して上述したように、図１２Ａ〜Ｈの治療パターン又は治療スポット配置それぞれにおいて、治療ビーム、又はより正確には治療ビームの軸は、各治療スポットへと増分的に移動して、治療ビームが点灯又は送達される際に各治療スポットに固定されてよい。続いて治療ビームは第１の位置へと移動してよく、プロセスは所望の回数だけ繰り返される。
【００７８】
図１２Ａは、４つの治療スポットのアレイ又はパターン（即ち２×２アレイ）の２Ｄ及び３Ｄ画像を示す。従来の短幅パルス手技アプローチ及び上で仮定した値を用いると、手技の総治療時間はおおよそ８００ｍｓ（ミリ秒）となる。増分的走査短幅パルス手技アプローチ及び上で仮定した値を用いると、手技の総治療時間はおおよそ２００ｍｓ、即ち従来のアプローチを用いた場合の時間のおおよそ１／４となる。増分的走査短幅パルス手技に関するオフ時間又は緩和時間はおおよそ１９００μｓであり、即ち従来の手技を用いた場合の短幅パルス間の緩和時間と略同一である。増分的走査短幅パルス手技のデューティサイクルは約５％となる。増分的走査短幅パルス手技は、短幅パルス間のオフ時間又は緩和時間がおおよそ同一であるにもかかわらず、従来の短幅パルス手技よりも遥かに短い治療時間を提供することが明らかである。
【００７９】
図１２Ｂは、９個の治療スポットのアレイ又はパターン（即ち３×３アレイ）の２Ｄ及び３Ｄ画像を示す。この治療パターンに関して、従来の短幅パルス手技はおおよそ１８００ｍｓの総治療時間を提供する。これとは対照的に、この治療パターンに関して、増分的走査短幅パルス手技はおおよそ４５０ｍｓの総治療時間、即ち従来のアプローチのおおよそ１／４の時間を提供する。増分的走査短幅パルス手技のためのオフ時間又は緩和時間はおおよそ４４００μｓであり、これは従来の手技を用いた場合の短幅パルス間の緩和時間の２倍を超える。増分的走査短幅パルス手技のデューティサイクルは約２．２％である。より大きな治療パターン（即ちより多くの治療スポット）に関して議論するとより明らかになるように、より大きなパターンは典型的にはより長い緩和時間につながるものの、従来の短幅パルス手技より大幅に迅速な治療手技時間が得られる。より長い緩和時間により、網膜組織を緩和させることができ、及び／又は網膜の温度を通常の、手技を行わない温度に近づけることができ、これは最適な治癒及び／又は治療応答を提供できる。更に、より短い治療時間は、患者にとっての傷害及び／又は不快感のリスクを低下させることもできる。
【００８０】
図１２Ｃは、１６個の治療スポットのアレイ又はパターン（即ち４×４アレイ）の２Ｄ及び３Ｄ画像を示す。この治療パターンに関して、従来の短幅パルス手技はおおよそ３２００ｍｓの総治療時間を提供する。これとは対照的に、この治療パターンに関して、増分的走査短幅パルス手技はおおよそ８００ｍｓの総治療時間、即ち従来のアプローチのおおよそ１／４の時間を提供する。増分的走査短幅パルス手技のためのオフ時間又は緩和時間はおおよそ７９００μｓであり、これは従来の手技を用いた場合の短幅パルスバースト間の緩和時間の略４倍である。増分的走査短幅パルス手技のデューティサイクルは約１．２５％である。
【００８１】
図１２Ｄは、２５個の治療スポットのアレイ又はパターン（即ち５×５アレイ）の２Ｄ及び３Ｄ画像を示す。この治療パターンに関して、従来の短幅パルス手技はおおよそ５０００ｍｓの総治療時間を提供する。これとは対照的に、この治療パターンに関して、増分的走査短幅パルス手技はおおよそ１２５０ｍｓの総治療時間、即ち従来のアプローチのおおよそ１／４の時間を提供する。増分的走査短幅パルス手技のためのオフ時間又は緩和時間はおおよそ１２４００μｓである。増分的走査短幅パルス手技のデューティサイクルは約０．８％である。
【００８２】
図１２Ｅは、３６個の治療スポットのアレイ又はパターン（即ち６×６アレイ）の２Ｄ及び３Ｄ画像を示す。この治療パターンに関して、従来の短幅パルス手技はおおよそ７２００ｍｓの総治療時間を提供する。これとは対照的に、この治療パターンに関して、増分的走査短幅パルス手技はおおよそ１８００ｍｓの総治療時間、即ち従来のアプローチのおおよそ１／４の時間を提供する。増分的走査短幅パルス手技のためのオフ時間又は緩和時間はおおよそ１７９００μｓである。増分的走査短幅パルス手技のデューティサイクルは約０．５％である。
【００８３】
図１２Ｆは、４９個の治療スポットのアレイ又はパターン（即ち７×７アレイ）の２Ｄ及び３Ｄ画像を示す。この治療パターンに関して、従来の短幅パルス手技はおおよそ９８００ｍｓの総治療時間を提供する。これとは対照的に、この治療パターンに関して、増分的走査短幅パルス手技はおおよそ２４５０ｍｓの総治療時間、即ち従来のアプローチのおおよそ１／４の時間を提供する。増分的走査短幅パルス手技のためのオフ時間又は緩和時間はおおよそ２４４００μｓである。増分的走査短幅パルス手技のデューティサイクルは約０．４％である。
【００８４】
図１２Ｇは、４５°の３重の弧の配置を有する１２個の治療スポットのパターンの２Ｄ及び３Ｄ画像を示す。この治療パターンに関して、従来の短幅パルス手技はおおよそ２４００ｍｓの総治療時間を提供する。これとは対照的に、この治療パターンに関して、増分的走査短幅パルス手技はおおよそ６００ｍｓの総治療時間、即ち従来のアプローチのおおよそ１／４の時間を提供する。増分的走査短幅パルス手技のためのオフ時間又は緩和時間はおおよそ５９００μｓである。増分的走査短幅パルス手技のデューティサイクルは約１．６％である。
【００８５】
図１２Ｈは、円形の配置を有する１６個の治療スポットのパターンの２Ｄ及び３Ｄ画像を示す。この治療パターンに関して、従来の短幅パルス手技はおおよそ３２００ｍｓの総治療時間を提供する。これとは対照的に、この治療パターンに関して、増分的走査短幅パルス手技はおおよそ８００ｍｓの総治療時間、即ち従来のアプローチのおおよそ１／４の時間を提供する。増分的走査短幅パルス手技のためのオフ時間又は緩和時間はおおよそ７９００μｓである。増分的走査短幅パルス手技のデューティサイクルは約１．２５％である。上述の手技を実施している間、エネルギは網膜表面を横切るように、比較的波状の様式で流れることができる。
【００８６】
別の実施形態では、増分的走査短幅パルス手技は上述のスポットパターンを使用してよく、かつ：約２００μｓのパルス幅；３５０μｓのスポット間移動期間（即ち平均スポット間移動時間）；及び／又は各スポットへの短幅パルスバーストの５０回の送達を含んでよい。上述のように、各治療位置のオフ時間又は緩和時間は、全フレーム又は治療パターンを通した治療ビームの走査時間と略等しくてよい。以下の表１は、増分的走査短幅パルス手技に関して計算された様々な値（即ちＳＴＡＭＰ時間）を提供し、またこれらの計算された値を、同様の治療パラメータを有する従来の短幅パルス手技（即ち従来の時間）と比較する。
【００８７】
【表１】
2016517736.tif 000053
【００８８】
表１に示すように、より長いパルス幅を有する増分的走査短幅パルス手技に関する手技時間は、既に記載した値よりも僅かに高いが、有意に高くはない。しかしながらこの手技に関して、デューティサイクルは顕著に高い。表１はまた、オフ時間又は緩和時間がフレーム時間（即ち治療ビームが治療パターン全体を走査するのにかかる時間）と本質的に等しいことも示す。これらの時間は約２００μｓだけ変化し、これは予測されるように、パルス幅に対応する。しかしながら治療時間は、従来の短幅パルス治療によって提供されるものよりも明らかに低いままである。
【００８９】
いくつかの実施形態では、短幅パルス治療のデューティサイクルは、治療される状態に応じて変化し得る。例えば典型的な網膜に関する手技では、デューティサイクルは約１０％以下であってよいが、５％以下のデューティサイクルがより一般的である。緑内障に関する手技では、デューティサイクルは約１５％〜３１％となり得る。毛様体扁平部に関する手技では、デューティサイクルは約３１％となり得る。実施される手技に応じて、又は１つ若しくは複数の他の条件に応じて、他のデューティサイクルを使用してよい。例えば、本明細書に記載の方法及びシステムと共に、ある範囲のデューティサイクルを使用してよい。デューティサイクルの範囲は０．４〜３５％を含んでよいが、５〜１５％の範囲がより一般的である。
【００９０】
本明細書に記載のシステムを用いて、増分的走査短幅パルス手技を提供してよい。例えば一実施形態では、システムは：治療ビーム経路に沿って治療ビームを伝導するよう構成された治療ビーム源；治療ビーム経路に沿って配置され、患者の眼の網膜に沿って治療ビームを走査するよう構成された、走査デバイス；及び走査デバイスに連結されたプロセッサを含んでよい。プロセッサは（例えばメモリデバイスに記憶された命令によって）：Ａ）治療ビームのために、網膜に対する複数の標的位置を画定するステップ；Ｂ）治療ビームが関連位置に固定されている際に、治療ビームからのパルスを、複数の標的位置それぞれにおいて網膜上に送達するステップ；Ｃ）複数の標的位置の間で治療ビームを増分的に走査するステップ；並びにＤ）複数の標的位置それぞれにおいて治療ビームからの複数の追加のパルスを送達するために、ステップＢ）及びＣ）を反復するステップを実行するよう構成又は命令されてよい。複数の標的位置は、第１の位置、第２の位置、複数の中間位置を含んでよく、治療ビームは第１の位置と第２の位置との間で走査されてよい。
【００９１】
別の実施形態では、システムは：治療ビーム経路に沿って治療ビームを伝導するよう構成された治療ビーム源；治療ビーム経路に沿って配置され、患者の眼の網膜に沿って治療ビームを走査するよう構成された、走査デバイス；及び走査デバイスに連結されたプロセッサを含んでよい。プロセッサは（例えばメモリデバイスに記憶された命令によって）：Ａ）治療ビームのために、網膜に対する複数の標的位置を画定するステップであって、上記標的位置は第１の位置、第２の位置及び複数の中間位置を含む、ステップ；Ｂ）治療ビームからのパルスを、複数の標的位置それぞれにおいて網膜上に送達するステップ；Ｃ）複数の標的位置を送達されたビームで同時に照明するために、第１の位置と第２の位置との間の複数の標的位置の間でビームを増分的に走査するステップ；並びにＤ）複数の標的位置それぞれにおいて治療ビームからの複数の追加のパルスを送達するために、ステップＢ）及びＣ）を反復するステップを実行するよう構成又は命令されてよい。本明細書に記載されているように、各パルスの幅は、網膜の従来の光凝固の誘発を回避しながら、各標的位置に配向されるパルスの総数を、上記位置において治療的治癒の光活性化を誘発するのに十分なものとすることができる程度に、十分に短いものであってよい。
【００９２】
本明細書に記載するように、いくつかの実施形態では、本システムは、照準ビーム経路に沿って照準ビームを伝導するよう構成された照準ビーム源も含んでよい。このような実施形態では、走査デバイスは、照準ビームを網膜に沿って走査することによって、網膜上の複数の標的位置を画定してよい。プロセッサは更に、約１０〜約１００００サイクルの短幅パルス治療を提供するよう構成してよい。走査デバイス及び／又は治療若しくは照準ビーム源は、アダプタデバイス内に配置してよく、このアダプタデバイスは、眼科的測定機器と着脱可能に連結でき、また光ビーム源と光学的に連結できる。
【００９３】
いくつかの実施形態では、外科医が図３、４Ａ〜Ｃに示すような制御ユニットに入力してよい入力は：電力設定；デューティサイクル選択；治療期間；治療パターンの選択又は入力等を含んでよい。制御ユニットは、外科医が入力したパラメータに基づいて、必要な１つ又は複数の他のパラメータを計算してよい。
【００９４】
いくつかの実施形態を説明したが、本発明の精神から逸脱することなく様々な修正、代替構成及び均等物を使用してよいことは、当業者であれば理解できるであろう。更に、本発明を不必要に不明瞭にするのを回避するために、多数の公知のプロセス及び要素については説明しなかった。従って以上の説明は、本発明の範囲を限定するものと解してはならない。
【００９５】
値の範囲が提供されている場合、これは、文脈によってそうでないことが明確に規定されていない限り、その範囲の上限と下限との間の中間値も、下限の単位の小数点以下第１位まで具体的に開示されているものとして理解される。言明されている範囲内のいずれの言明されている値又は中間値と、上記言明されている範囲内の他のいずれの言明されている値又は中間値との間の、より狭い範囲もそれぞれ包含される。これらのより狭い範囲の限界値は、独立して上記範囲内に含まれても含まれなくてもよく、また、言明されている範囲内の具体的に排除されるいずれの限界値に応じて、上限及び下限の一方が含まれる、いずれも含まれない、又は両方が含まれる各範囲もまた本発明に包含される。言明されている範囲が限界値のうちの一方又は両方を含む場合、これら含まれた限界値のうちのいずれか一方又は両方を排除した範囲もまた含まれる。
【００９６】
本明細書及び添付の請求項において使用される単数形「ある（ａ、ａｎ）」及び「上記（ｔｈｅ）」は、文脈によってそうでないことが明確に規定されていない限り、複数の指示物を含む。従って例えば「あるプロセス（ａ  ｐｒｏｃｅｓｓ）」に関する言及は、複数のこのようなプロセスを含み、「上記デバイス（ｔｈｅ  ｄｅｖｉｃｅ）」に関する言及は、１つ又は複数のデバイス及び当業者に公知のその均等物等を含む。
【００９７】
また、単語「備える（ｃｏｍｐｒｉｓｅ）」、「備える（ｃｏｍｐｒｉｓｉｎｇ）」、「含む（ｉｎｃｌｕｄｅ）」、「含む（ｉｎｃｌｕｄｉｎｇ）」、「含む（ｉｎｃｌｕｄｅｓ）」は、本明細書及び添付の請求項において使用される場合、言明されている特徴部分、整数、構成部品又はステップの存在を明示することを意図しているが、１つ又は複数の他の特徴部分、整数、構成部品、ステップ、動作又は群の存在又は追加を排除するものではない。
【手続補正２】
【補正対象書類名】特許請求の範囲
【補正対象項目名】全文
【補正方法】変更
【補正の内容】
【特許請求の範囲】
【請求項１】
患者の眼を治療するための方法であって：
治療ビームのための複数の標的位置を画定するステップであって、前記複数の標的位置は、第１の位置、第２の位置、複数の中間位置を含み、各前記標的位置は、前記患者の眼の眼球組織を治療するための治療部位に対応する、ステップ；
前記複数の標的位置それぞれにおいて前記眼球組織に前記治療ビームからの第１のパルスを送達するステップ；
各前記第１のパルスの送達中に前記ビームが固定されるように、前記複数の標的位置間で増分的に前記治療ビームを走査するステップであって、前記治療ビームは、各前記パルス間の様々な標的位置に移動される、ステップ；
前記治療ビームが前記第１の位置と前記第２の位置との間で追加の回数だけそれぞれ増分的に走査される際に、前記複数の治療位置それぞれにおいて前記眼球組織に前記治療ビームからの追加の個数のパルスを送達して、前記眼球組織の追加の治療を提供するステップ
を含み、
各前記パルスの幅は、前記眼球組織の従来の光凝固の誘発を回避できるよう十分に短く、
各前記標的位置に配向される前記パルスの総数は、前記位置において治療的治癒反応の光活性化を誘発するために十分なものである、方法。
【請求項２】
前記眼球組織上の前記複数の標的位置を画定するために、前記眼球組織上に照準ビームを配向するステップを更に含む、請求項１に記載の方法。
【請求項３】
各前記標的位置に送達される前記パルス間の時間間隔は、前記第１の位置から前記第２の位置までの前記治療ビームの走査の期間と略等しい、請求項１に記載の方法。
【請求項４】
前記時間間隔は、前記標的位置の総数と、各前記パルスの平均幅と、隣接する前記標的位置間の前記治療ビームの移動の平均期間との積である、請求項３に記載の方法。
【請求項５】
前記時間間隔は約１９００マイクロ秒超である、請求項３に記載の方法。
【請求項６】
各前記標的位置における前記治療ビームに関するデューティサイクルは、約９％以下である、請求項１に記載の方法。
【請求項７】
前記治療ビームが複数の前記標的位置間で増分的に走査される際の前記パルスの各送達は、治療サイクルを含み、
前記方法は、前記眼の前記眼球組織を治療するために約１０〜約１００００の前記治療サイクルを提供するステップを含む、請求項１に記載の方法。
【請求項８】
各前記パルスは、前記眼球組織上に前記標的位置の視覚的パターンを提供できるよう、各前記標的位置に十分に短い幅で送達される、請求項７に記載の方法。
【請求項９】
前記眼球組織は網膜組織を含む、請求項１に記載の方法。
【請求項１０】
各前記パルスの幅は約５０〜１５０マイクロ秒である、請求項１に記載の方法。
【請求項１１】
患者の眼に治療処置を提供するためのシステムであって、前記システムは：
治療ビーム経路に沿って治療ビームを伝導するよう構成された治療ビーム源；
前記治療ビーム経路に沿って配置され、前記患者の眼の眼球組織に沿って前記治療ビームを走査するよう構成された、走査デバイス；及び
前記走査デバイスに連結されたプロセッサ
を備え、
前記プロセッサは：
Ａ）前記治療ビームのために、前記眼球組織に対する複数の標的位置を画定するステップであって、前記複数の標的位置は第１の位置、第２の位置、複数の中間位置を含む、ステップ；
Ｂ）前記治療ビームが関連する前記位置に固定されている際に、前記治療ビームからのパルスを、前記複数の標的位置それぞれにおいて前記眼球組織上に送達し、各前記パルス間に異なる前記標的位置に前記治療ビームを移動させる、ステップ；
Ｃ）前記複数の標的位置の間で前記治療ビームを増分的に走査するステップ；並びに
Ｄ）前記複数の標的位置それぞれにおいて前記治療ビームからの複数の追加のパルスを送達するために、前記ステップＢ）及びＣ）を反復するステップ
を実行するよう構成され、
各前記パルスの幅は、前記眼球組織の従来の光凝固の誘発を回避できるよう十分に短く、
各前記標的位置に配向される前記パルスの総数は、前記位置において治療的治癒反応の光活性化を誘発するために十分なものである、システム。
【請求項１２】
照準ビーム経路に沿って照準ビームを伝導するよう構成された照準ビーム源を更に備え、
前記走査デバイスは更に、前記照準ビームを前記眼球組織に沿って走査することによって、前記眼球組織上の前記複数の標的位置を画定するよう構成される、請求項１１に記載のシステム。
【請求項１３】
各前記標的位置に送達される前記パルス間の時間間隔は、前記第１の位置と前記第２の位置との間の前記複数の標的位置の間の前記治療ビームの増分的な走査の期間と略等しい、請求項１１に記載のシステム。
【請求項１４】
前記眼球組織は網膜組織を含む、請求項１１に記載のシステム。
【請求項１５】
前記第１の位置と前記第２の位置との間の前記複数の標的位置の間の前記治療ビームの増分的な走査は、治療サイクルを含み、
前記プロセッサは更に、約１０〜約１００００の前記治療サイクルを提供するよう構成される、請求項１１に記載のシステム。
【請求項１６】
前記走査デバイスは、アダプタデバイス内に配置され、
前記アダプタデバイスは、眼科的測定機器と着脱可能に連結でき、また前記光ビーム源と光学的に連結できる、請求項１１に記載のシステム。
【請求項１７】
患者の眼に治療処置を提供するためのシステムであって、前記システムは：
治療ビーム経路に沿って視認可能な治療ビームを伝導するよう構成された治療ビーム源；
前記治療ビーム経路に沿って配置され、前記患者の眼の眼球組織に沿って前記治療ビームを走査するよう構成された、走査デバイス；及び
前記走査デバイスに連結されたプロセッサ
を備え、
前記プロセッサは：
Ａ）前記治療ビームのために、前記眼球組織に対する複数の標的位置を画定するステップであって、前記複数の標的位置は第１の位置、第２の位置、複数の中間位置を含む、ステップ；
Ｂ）前記治療ビームからのパルスを、前記複数の標的位置それぞれにおいて前記眼球組織上に送達し、各前記パルス間に異なる前記標的位置に前記治療ビームを移動させる、ステップ；
Ｃ）前記複数の標的位置が前記ビームによって同時に照明されて現れるように、前記複数の標的位置の間で前記ビームを増分的に走査するステップ；並びに
Ｄ）前記複数の標的位置が前記ビームによって同時に照明されて現れるように、前記複数の標的位置それぞれにおいて前記治療ビームからの複数の追加のパルスを送達するために、前記ステップＢ）及びＣ）を反復するステップ
を実行するよう構成され、
各前記パルスの幅は、前記眼球組織の従来の光凝固の誘発を回避できるよう十分に短く、
各前記標的位置に配向される前記パルスの総数は、前記位置において治療的治癒の光活性化を誘発するために十分なものである、システム。
【請求項１８】
前記眼球組織は網膜組織を含む、請求項１７に記載のシステム。
【国際調査報告】
2016517736.tif 000054